(57)【要約】【課題】外部蓄電池の蓄電電力を宅内負荷に利用する場合に、外部蓄電池の残容量を大電流用の電流センサにより正確に検出させることができる宅内放電制御装置を提供する。【解決手段】この宅内放電制御装置は、外部蓄電池２０の出力電圧を検出する電圧センサ９と、宅内負荷３０の負荷電力を検出する電力センサ１１と、電圧センサ９および電力センサ１１の検出結果から、外部蓄電池２０の第１放電電流の計算値を計算する制御部２１と、宅内負荷３０へ電力を供給するために、外部蓄電池２０からの第１放電電流の放電を制御するＤＣＤＣコンバータ１５とを備え、ＤＣＤＣコンバータ１５は、上記計算値が第１所定値以上である場合には、上記第１放電電流を上記宅内負荷３０に放電させる。【選択図】図１
2013046557.tif 000002
【特許請求の範囲】
【請求項１】
所定の外部蓄電池と着脱自在に接続され、上記外部蓄電池から宅内負荷への放電を制御する宅内放電制御装置であって、
上記外部蓄電池の出力電圧を検出する第１検出部と、
上記宅内負荷の負荷電力を検出する第２検出部と、
上記第１検出部で検出された上記出力電圧と上記第２検出部で検出された上記負荷電力とから、上記外部蓄電池から放電される第１放電電流の計算値を計算する計算部と、
上記宅内負荷へ電力を供給するために、上記外部蓄電池からの上記第１放電電流の放電を制御する第１放電制御部と、
を備え、
上記第１放電制御部は、上記計算値が第１所定値以上である場合には、上記第１放電電流を上記宅内負荷に放電させることを特徴とする宅内放電制御装置。
【請求項２】
上記外部蓄電池は、車両に搭載された蓄電池であることを特徴とする請求項１に記載の宅内放電制御装置。
【請求項３】
上記第１放電制御部は、上記計算値が上記第１所定値以上である場合には、上記第１放電電流を、上記第１所定値以上に保ちながら上記負荷電力に応じた電流となるように制御して、上記宅内負荷に放電することを特徴とする請求項１または２に記載の宅内放電制御装置。
【請求項４】
上記第１放電制御部は、上記計算値が上記第１所定値以上である場合には、上記第１放電電流を、上記第１所定値よりも大きい第２所定値を越えないように制御して、上記宅内負荷に放電することを特徴とする請求項３に記載の宅内放電制御装置。
【請求項５】
上記第１放電制御部は、上記計算値が上記第１所定値以上である場合には、上記第１放電電流を、上記第１所定値となるように制御して、上記宅内負荷に放電することを特徴とする請求項１または２に記載の宅内放電制御装置。
【請求項６】
据置型蓄電池と、
上記宅内負荷へ電力を供給するために、上記据置型蓄電池からの第２放電電流の放電を制御する第２放電制御部と、
を更に備え、
上記第２放電制御部は、上記計算値が上記第１所定値よりも大きい場合には、上記第２放電電流を、上記負荷電力のうち上記第１放電電流の放電で足りない分を補うように制御して、上記宅内負荷に放電させることを特徴とする請求項５に記載の宅内放電制御装置。
【請求項７】
上記宅内負荷には、商用電力系統が接続されており、
上記計算値が上記第１所定値よりも大きい場合には、上記商用電力系統からの系統電流を、上記負荷電力のうち上記第１放電電流の放電で不足する分を補うように制御して、上記宅内負荷に放電させる第３放電制御部を更に備えることを特徴とする請求項５に記載の宅内放電制御装置。
【請求項８】
据置型蓄電池と、
上記負荷へ電力を供給するために、上記据置型蓄電池からの第２放電電流の放電を制御する第２放電制御部と、
を更に備え、
上記第２放電制御部は、上記計算値が上記第２所定値よりも大きい場合には、上記第２放電電流を、上記負荷電力のうち上記第１放電電流の放電で足りない分を補うように制御して、上記宅内負荷に放電することを特徴とする請求項４に記載の宅内放電制御装置。
【請求項９】
上記宅内負荷には、商用電力系統が接続されており、
上記計算値が上記第２所定値よりも大きい場合には、上記商用電力系統からの系統電流を、上記負荷電力のうち上記第１放電電流の放電で不足する分を補うように制御して、上記宅内負荷に出力する第３放電制御部を更に備えることを特徴とする請求項４に記載の宅内放電制御装置。
【請求項１０】
上記第１放電制御部は、上記計算値が上記第１所定値未満である場合には、上記第１放電電流を停止することを特徴とする請求項１〜９の何れか１項に記載の宅内放電制御装置。
【請求項１１】
据置型蓄電池と、
上記宅内負荷へ電力を供給するために、上記据置型蓄電池からの第２放電電流の放電を制御する第２放電制御部と、
を更に備え、
上記第２放電制御部は、上記計算値が上記第１所定値未満である場合には、上記第２放電電流を上記宅内負荷に放電することを特徴とする請求項１０に記載の宅内放電制御装置。
【請求項１２】
上記宅内負荷には、商用電力系統が接続されており、
上記計算値が上記第１所定値未満である場合には、上記商用電力系統からの系統電流を上記宅内負荷に出力させる第３放電制御部を更に備えることを特徴とする請求項１０に記載の宅内放電制御装置。
【請求項１３】
所定の外部蓄電池と着脱自在に接続され、上記外部蓄電池から宅内負荷への放電を制御する宅内放電制御装置であって、
上記宅内放電制御装置の作動中は、上記外部蓄電池からの第１放電電流を、第１所定値となるように制御する第１放電制御部を備えることを特徴とする宅内放電制御装置。
【請求項１４】
据置型蓄電池と、
上記据置型蓄電池の充放電を制御する第２放電制御部と、
上記宅内負荷の負荷電力を検出する検出部と、
上記検出部で検出された上記負荷電力と、上記第１所定値の上記第１放電電流により供給される第１電力との大小関係を判定する判定部と、
を備え、
上記第２放電制御部は、上記負荷電力が上記第１電力よりも大きい場合には、上記据置型蓄電池からの第２放電電流を、上記負荷電力のうち上記第１放電電流の放電で足りない分を補うように制御して、上記宅内負荷に放電させることを特徴とする請求項１３に記載の宅内放電制御装置。
【請求項１５】
上記第２放電制御部は、上記負荷電力が上記第１電力よりも小さい場合は、上記第１放電電流のうち上記負荷電力として消費されない余剰分を上記据置型蓄電池に充電させることを特徴とする請求項１４に記載の宅内放電制御装置。
【請求項１６】
所定の外部蓄電池から宅内負荷への放電を制御する宅内放電制御方法であって、
上記外部蓄電池の出力電圧を検出する第１検出ステップと、
上記宅内負荷の負荷電力を検出する第２検出ステップと、
上記第１検出ステップで検出された上記出力電圧と上記第２検出ステップで検出された上記負荷電力とから、上記外部蓄電池から放電される第１放電電流の計算値を計算する計算ステップと、
上記宅内負荷へ電力を供給するために、上記外部蓄電池からの上記第１放電電流の放電を制御する第１放電制御ステップと、
を含み、
上記第１放電制御ステップでは、上記計算値が第１所定値以上である場合には、上記第１放電電流を上記宅内負荷に放電させることを特徴とする宅内放電制御方法。
【発明の詳細な説明】
【技術分野】
【０００１】
本発明は、電気自動車等の車両に搭載された蓄電池を、宅内負荷に接続し放電させて、宅内負荷の電力消費の少なくとも一部に利用する宅内放電制御装置および宅内放電制御方法に関する。
【背景技術】
【０００２】
従来、電気自動車に搭載された蓄電池を宅内のパワーコンディショナ（以後、パワコンと称す）に接続して、電気自動車の蓄電池の蓄電電力を宅内負荷（電気機器）に利用する宅内放電制御装置が提案されている（特許文献１，２）。
【０００３】
この装置で使用される電気自動車では、その蓄電池の残容量を正確に検出することが重要である。なぜならば、検出された残容量が実際の残容量よりも大きいと、蓄電池の残容量が未だあるように見えても電気自動車が動かなくなる場合があり、逆に、検出された残容量が実際の残容量よりも小さいと、充電時に蓄電池を過剰に充電して蓄電池の劣化を招き、電気自動車の走行距離が著しく低下する場合があるからである。
【０００４】
図２１は、従来の宅内放電制御装置と電気自動車との各々の構成概略図の一例を示した図である。図２１に示すように、電気自動車１００は、蓄電池１０１、電流センサ１０２および制御部１０３を備えている。蓄電池１０１は、電力線１０８を介して宅１０５内のパワコン１０６に着脱自在に接続されている。電流センサ１０２は、電力線１０８に流れる蓄電池１０１の充放電電流を検出するものである。制御部１０３は、電流センサ１０２により検出された電流値を蓄電池１０１の残容量（ＳＯＣ：Ｓｔａｔｅ  ｏｆ  Ｃｈａｒｇｅ）に換算し、その残容量を管理している。制御部１０３で管理されている残容量情報（ＳＯＣ情報）は、通信線１０４によりパワコン１０６へ送信される。パワコン１０６は、その残容量情報を基に電気自動車１００の蓄電池１０１の充放電を制御することで、蓄電池１０１の蓄電電力を宅内負荷（電気機器）１０７に利用している。
【０００５】
上述の電流値から蓄電池１０１の残容量への換算方法は、積算電流により残容量を換算する方法が一般的であるが（例えば特許文献３，４など）、この方法以外にも、電流−電圧特性より残容量を換算する方法（特許文献５）が知られている。
【先行技術文献】
【特許文献】
【０００６】
【特許文献１】特開２００１−８３８０号公報（２００１年１月１２日公開）
【特許文献２】特開２００７−３３００８３号公報（２００７年１２月２０日公開）
【特許文献３】特開平１０−２８８６５４号公報（１９９８年１０月２７日公開）
【特許文献４】特開２０１０−６０３００号公報（２０１０年３月１８日公開）
【特許文献５】特開２００６-３４３２３０号公報（２００６年１２月２１日公開）
【発明の概要】
【発明が解決しようとする課題】
【０００７】
しかしながら、上述の何れの換算方法においても、蓄電池１０１の残容量を正確に把握するためには、蓄電池１０１の放電電流の電流値を正確に検出する必要がある。特に一般的に用いられている積算電流により残容量を換算する方法では、わずかな電流検出誤差でも、電流値の積算を重ねることで、検出した残容量が実際の残容量から大きくずれる場合がある。
【０００８】
蓄電池１０１から宅内負荷１０７への放電を行う場合、その放電の放電量は、宅内負荷１０７の消費量に応じて大きく変化することが考えられる。蓄電池１０１の充電時では、急速充電（５０ｋＷ）では１３０Ａ程度の大電流、また、高速充電（８ｋＷ）では２２Ａ程度の大電流が流れる。しかし、蓄電池１０１から宅内負荷１０７への放電では、宅内負荷１０７の消費量の変動により０．５Ａ程度の小電流しか流れないときもある。
【０００９】
電流センサ１０２としては、蓄電池１０１の充電時の大電流を検出できるものを用いる必要があるが、そのような電流センサ１０２では、小電流に対する検出誤差が非常に大きくなるため、蓄電池１０１から宅内負荷１０７への放電電流を正確に検出することができない場合がある。
【００１０】
通常、電流センサ１０２の検出精度は最大検出値の±数％程度であるので、上記のような電流センサ１０２では、小電流を検出する場合、検出値に占める電流センサ１０２の検出誤差の割合が非常に大きくなり、検出精度が低くなる。
【００１１】
例えば、５０ｋＷ急速充電時の電流を検出できる電流センサでは、±３Ａ程度の検出誤差があり、また、宅内用８ｋＷの系に流れる電流を検出できる電流センサでは、±０．５Ａ程度の検出誤差がある。このような電流センサでは、０．５Ａ程度の放電電流に対して±０．５Ａあるいは±３Ａ程度の検出誤差が存在することになる。
【００１２】
このように、電流センサ１０２による放電時の検出誤差が大きくなると、蓄電池１０１の残容量を正確に検出できなくなる。
【００１３】
本発明は、上記の問題点に鑑みてなされたものであり、その目的は、電気自動車の蓄電池等の外部蓄電池の蓄電電力を宅内負荷に利用する場合において、外部蓄電池の残容量を大電流用の電流センサにより正確に検出させることができる宅内放電制御装置および宅内放電制御方法を提供することにある。
【課題を解決するための手段】
【００１４】
上記の課題を解決するために、本発明に係る宅内放電制御装置は、所定の外部蓄電池と着脱自在に接続され、上記外部蓄電池から宅内負荷への放電を制御する宅内放電制御装置であって、上記外部蓄電池の出力電圧を検出する第１検出部と、上記宅内負荷の負荷電力を検出する第２検出部と、上記第１検出部で検出された上記出力電圧と上記第２検出部で検出された上記負荷電力とから、上記外部蓄電池から放電される第１放電電流の計算値を計算する計算部と、上記宅内負荷へ電力を供給するために、上記外部蓄電池からの上記第１放電電流の放電を制御する第１放電制御部と、を備え、上記第１放電制御部は、上記計算値が第１所定値以上である場合には、上記第１放電電流を上記宅内負荷に放電させることを特徴としている。
【００１５】
本発明に係る宅内放電制御方法は、所定の外部蓄電池から宅内負荷への放電を制御する宅内放電制御方法であって、上記外部蓄電池の出力電圧を検出する第１検出ステップと、上記宅内負荷の負荷電力を検出する第２検出ステップと、上記第１検出ステップで検出された上記出力電圧と上記第２検出ステップで検出された上記負荷電力とから、上記外部蓄電池から放電される第１放電電流の計算値を計算する計算ステップと、上記宅内負荷へ電力を供給するために、上記外部蓄電池からの上記第１放電電流の放電を制御する第１放電制御ステップと、を含み、上記第１放電制御ステップでは、上記計算値が第１所定値以上である場合には、上記第１放電電流を上記宅内負荷に放電させることを特徴としている。
【００１６】
なお、上記の「宅内負荷の負荷電力」とは、稼動中の宅内負荷が消費している電力を意味する。
【００１７】
上記の構成によれば、上記計算値が第１所定値以上である場合には、第１放電電流が宅内負荷に放電されるので、その放電の際の第１放電電流は、第１所定値以上の値になる。第１所定値として、例えば１０Ａ程度の比較的大きな電流値を設定することで、第１放電電流を、例えば１０Ａ程度の比較的大きな電流値にすることができる。
【００１８】
これにより、第１放電電流を大電流検出用の電流センサを用いて正確に検出することができる。よって、外部蓄電池の蓄電電力を宅内負荷に利用する場合において、外部蓄電池の残容量を大電流用の電流センサにより正確に検出することできる。
【００１９】
本発明に係る宅内放電制御装置は、所定の外部蓄電池と着脱自在に接続され、上記外部蓄電池から宅内負荷への放電を制御する宅内放電制御装置であって、上記宅内放電制御装置の作動中は、上記外部蓄電池からの第１放電電流を、第１所定値となるように制御する第１放電制御部を備えることを特徴としている。
【００２０】
上記の構成によれば、上記宅内放電制御装置の作動中は、第１放電電流は所定値に制御されて放電されるので、第１放電電流は、常に第１所定値になる。第１所定値として、例えば１０Ａ程度の比較的大きな電流値を設定することで、第１放電電流を、例えば１０Ａ程度の比較的大きな電流値にすることができる。なお、第１放電電流のうち、宅内負荷で利用されない余剰の放電電流が発生する場合には、例えば後述するように、外部蓄電池とは別の蓄電池を余剰の放電電流によって充電するなどが考えられる。
【００２１】
これにより、第１放電電流を大電流検出用の電流センサを用いて正確に検出することができる。よって、外部蓄電池の蓄電電力を宅内負荷に利用する場合において、外部蓄電池の残容量を大電流用の電流センサにより正確に検出することできる。
【００２２】
また、第１放電電流を第１所定値に制御する結果、外部蓄電池の残容量が急減する不測の事態を回避することもできる。
【００２３】
本発明に係る宅内放電制御装置では、上記外部蓄電池は、車両に搭載された蓄電池であることが望ましい。
【００２４】
上記の構成によれば、車両に搭載された蓄電池であるので、車両に搭載された蓄電池を宅内負荷に利用することができる。
【００２５】
本発明に係る宅内放電制御装置では、上記第１放電制御部は、上記計算値が上記第１所定値以上である場合には、上記第１放電電流を、上記第１所定値以上に保ちながら上記負荷電力に応じた電流となるように制御して、上記宅内負荷に放電することが望ましい。
【００２６】
上記の構成によれば、第１放電電流は負荷電力に応じた大きさの電流に制御されるので、負荷電流が第１所定値以上となる範囲で負荷電力が変動しても、過不足なく、外部蓄電池の第１放電電流を宅内負荷に放電することができる。
【００２７】
本発明に係る宅内放電制御装置では、上記第１放電制御部は、上記計算値が上記第１所定値以上である場合には、上記第１放電電流を、上記第１所定値よりも大きい第２所定値を越えないように制御して、上記宅内負荷に放電することが望ましい。
【００２８】
上記の構成によれば、第１放電電流は第１所定値よりも大きい第２所定値を越えないように制御されるので、第１放電電流が大電流になることを防止でき、これにより、外部蓄電池の残容量が急減することを防止することができる。
【００２９】
本発明に係る宅内放電制御装置では、上記第１放電制御部は、上記計算値が上記第１所定値以上である場合には、上記第１放電電流を、上記第１所定値となるように制御して、上記宅内負荷に放電することが望ましい。
【００３０】
上記の構成によれば、上記計算値が第１所定値以上である場合には、第１放電電流が第１所定値となるように制御されて放電されるので、第１放電電流が大電流になることを防止でき、これにより、外部蓄電池が急減することを防止できる。また、第１放電電流が放電される場合は、その電流値は第１所定値になるので、第１放電電流を正確に検出することができる。
【００３１】
なお、必要な負荷電流に対して、第１放電電流では不足が生じる場合に対処する構成については、以下で述べる。
【００３２】
本発明に係る宅内放電制御装置は、据置型蓄電池と、上記宅内負荷へ電力を供給するために、上記据置型蓄電池からの第２放電電流の放電を制御する第２放電制御部と、を更に備え、上記第２放電制御部は、上記計算値が上記第１所定値よりも大きい場合には、上記第２放電電流を、上記負荷電力のうち上記第１放電電流の放電で足りない分を補うように制御して、上記宅内負荷に放電させることが望ましい。
【００３３】
上記の構成によれば、負荷電力のうち第１放電電流の放電で足りない分を補うように、第２放電電流が宅内負荷に放電されるので、供給電力の不足分を据置型蓄電池の放電で補うことができる。
【００３４】
本発明に係る宅内放電制御装置は、上記宅内負荷には、商用電力系統が接続されており、
上記計算値が上記第１所定値よりも大きい場合には、上記商用電力系統からの系統電流を、上記負荷電力のうち上記第１放電電流の放電で不足する分を補うように制御して、上記宅内負荷に放電させる第３放電制御部を更に備えることが望ましい。
【００３５】
上記の構成によれば、負荷電力のうち第１放電電流の放電で不足する分を補うように商用電力系統からの系統電流が宅内負荷に放電されるので、供給電力の不足分を商用電力系統で補うことができる。
【００３６】
本発明に係る宅内放電制御装置は、据置型蓄電池と、上記負荷へ電力を供給するために、上記据置型蓄電池からの第２放電電流の放電を制御する第２放電制御部と、を更に備え、上記第２放電制御部は、上記計算値が上記第２所定値よりも大きい場合には、上記第２放電電流を、上記負荷電力のうち上記第１放電電流の放電で足りない分を補うように制御して、上記宅内負荷に放電することが望ましい。
【００３７】
上記の構成によれば、負荷電力のうち第１放電電流の放電で足りない分を補うように、第２放電電流が宅内負荷に放電されるので、第１放電電流の大きさを第２所定値以下に抑えることにより、外部蓄電池の残容量の急減を防止しつつ、供給電力の不足分を据置型蓄電池の放電で補うことができる。
【００３８】
本発明に係る宅内放電制御装置は、上記宅内負荷には、商用電力系統が接続されており、上記計算値が上記第２所定値よりも大きい場合には、上記商用電力系統からの系統（※言葉を請求項７に合わせた）電流を、上記負荷電力のうち上記第１放電電流の放電で不足する分を補うように制御して、上記宅内負荷に出力する第３放電制御部を更に備えることが望ましい。
【００３９】
上記の構成によれば、負荷電力のうち第１放電電流の放電で不足する分を補うように、商用電力系統からの系統電流が宅内負荷に出力されるので、第１放電電流の大きさを第２所定値以下に抑えることにより、外部蓄電池の残容量の急減を防止しつつ、供給電力の不足分を商用電力系統で補うことができる。
【００４０】
本発明に係る宅内放電制御装置では、上記第１放電制御部は、上記計算値が上記第１所定値未満である場合には、上記第１放電電流を停止することが望ましい。
【００４１】
なお、上記計算値が第１所定値未満である場合に、第１放電電流を放電させると、第１放電電流は第１所定値未満の電流となり、大電流用の電流センサにより正確に検出できなくなる。
【００４２】
上記の構成によれば、上記計算値が第１所定値未満である場合には、第１放電電流を停止するので、大電流用の電流センサによる不正確な検出が防止され、外部蓄電池の残容量を大電流用の電流センサにより正確に検出することできる。
【００４３】
本発明に係る宅内放電制御装置は、据置型蓄電池と、上記宅内負荷へ電力を供給するために、上記据置型蓄電池からの第２放電電流の放電を制御する第２放電制御部と、を更に備え、上記第２放電制御部は、上記計算値が上記第１所定値未満である場合には、上記第２放電電流を上記宅内負荷に放電することが望ましい。
【００４４】
上記の構成によれば、上記計算値が第１所定値未満である場合（即ち、外部蓄電池が放電されない場合）は、据置型蓄電池が放電されるので、外部蓄電池が放電されない場合でも、据置型蓄電池の放電により、負荷電力を賄うことができる。
【００４５】
本発明に係る宅内放電制御装置は、上記宅内負荷には、商用電力系統が接続されており、上記計算値が上記第１所定値未満である場合には、上記商用電力系統からの系統電流を上記宅内負荷に出力させる第３放電制御部を更に備えることが望ましい。
【００４６】
上記の構成によれば、上記計算値が第１所定値未満である場合（即ち、外部蓄電池が放電されない場合）は、商用電力系統からの系統電流が宅内負荷に出力されるので、外部蓄電池が放電されない場合でも、商用電力系統の出力電流により、負荷電力を賄うことができる。
【００４７】
本発明に係る宅内放電制御装置は、据置型蓄電池と、上記据置型蓄電池の充放電を制御する第２放電制御部と、上記宅内負荷の負荷電力を検出する検出部と、上記検出部で検出された上記負荷電力と、上記第１所定値の上記第１放電電流により供給される第１電力との大小関係を判定する判定部と、を備え、上記第２放電制御部は、上記負荷電力が上記第１電力よりも大きい場合には、上記据置型蓄電池からの第２放電電流を、上記負荷電力のうち上記第１放電電流の放電で足りない分を補うように制御して、上記宅内負荷に放電させることが望ましい。
【００４８】
上記の構成によれば、負荷電力のうち第１放電電流の放電で足りない分を補うように、第２放電電流が宅内負荷に放電されるので、外部蓄電池の残容量の正確な検出、および外部蓄電池の残容量の急減防止という前述の効果に加えて、供給電力の不足分を据置型蓄電池の放電で補うことができるという効果を奏する。
【００４９】
本発明に係る宅内放電制御装置は、上記第２放電制御部は、上記計算値が上記第１所定値よりも小さい場合は、上記第１放電電流のうち上記負荷電力として消費されない余剰分を上記据置型蓄電池に充電させることが望ましい。
【００５０】
上記の構成によれば、第１放電電流のうち負荷電力で消費されない余剰分が据置型蓄電池に充電されるので、第１放電電流を無駄にすることを防止できる。
【発明の効果】
【００５１】
本発明に係る宅内放電制御装置および宅内放電制御方法は、外部蓄電池の出力電圧と宅内負荷の負荷電力とから求めた上記外部蓄電池からの第１放電電流の計算値が、第１所定値以上である場合には、上記外部蓄電池からの第１放電電流を上記宅内負荷に放電させるものである。
【００５２】
また、本発明に係る宅内放電制御装置および宅内放電制御方法は、外部蓄電池から宅内負荷への放電を制御する宅内放電制御装置の作動中は、上記外部蓄電池からの第１放電電流を、第１所定値となるように制御して、上記宅内負荷に放電させるものである。
【００５３】
それゆえ、外部蓄電池の蓄電電力を宅内負荷に利用する場合において、外部蓄電池の残容量を大電流用の電流センサにより正確に検出することできるという効果を奏する。
【図面の簡単な説明】
【００５４】
【図１】本発明の実施の形態１に係る宅内放電制御装置の構成の一例を説明する図である。
【図２】図１のＤＣＤＣコンバータの基本構成を説明する図である。
【図３】本発明の実施の形態１に係る宅内放電制御装置の動作を説明するフローチャートである。
【図４】本発明の実施の形態１に係る宅内放電制御装置における負荷電力の変動に応じた動作を説明する図である。
【図５】本発明の実施の形態１のＤＣＤＣコンバータの出力電圧−出力電流の関係の一例を示した図である。
【図６】本発明の実施の形態１の各種変数と負荷電流の計算値との関係の一例を示した図であり、（ａ）は、各種変数が電路Ｐ２の電圧の場合、（ｂ）は、各種変数が各ＤＣＤＣコンバータの出力電流の場合、（ｃ）は、各種変数が外部蓄電池の放電電流の場合を示している。
【図７】本発明の実施の形態２のＤＣＤＣコンバータの出力電圧−出力電流の関係の一例を示した図である。
【図８】本発明の実施の形態２の各種変数と負荷電流の計算値との関係の一例を示した図であり、（ａ）は、各種変数が電路Ｐ２の電圧の場合、（ｂ）は、各種変数が各ＤＣＤＣコンバータの出力電流の場合、（ｃ）は、各種変数が外部蓄電池の放電電流の場合を示している。
【図９】本発明の実施の形態２に係る宅内放電制御装置における負荷電力の変動に応じた動作を説明する図である。
【図１０】本発明の実施の形態３のＤＣＤＣコンバータの出力電圧−出力電流の関係の一例を示した図である。
【図１１】本発明の実施の形態３の各種変数と負荷電流の計算値との関係の一例を示した図であり、（ａ）は、各種変数が電路Ｐ２の電圧の場合、（ｂ）は、各種変数が各ＤＣＤＣコンバータの出力電流の場合、（ｃ）は、各種変数が外部蓄電池の放電電流の場合を示している。
【図１２】本発明の実施の形態３に係る宅内放電制御装置における負荷電力の変動に応じた動作を説明する図である。
【図１３】本発明の実施の形態４に係る宅内放電制御装置の構成の一例を説明する図である。
【図１４】本発明の実施の形態４のＤＣＡＣコンバータの出力電圧−出力電流の関係の一例を示した図である。
【図１５】本発明の実施の形態４の各種変数と負荷電流の計算値との関係の一例を示した図であり、（ａ）は、各種変数が電力線Ｐ３の電圧の場合、（ｂ）は、各種変数が各ＤＣＤＣコンバータの出力電流の場合、（ｃ）は、各種変数が外部蓄電池の放電電流の場合を示している。
【図１６】本発明の実施の形態４に係る宅内放電制御装置における負荷電力の変動に応じた動作を説明する図である。
【図１７】本発明の実施の形態５に係る宅内放電制御装置における負荷電力の変動に応じた動作を説明する図である。
【図１８】本発明の実施の形態６に係る宅内放電制御装置の構成の一例を示した図である。
【図１９】本発明の実施の形態６に係る宅内放電制御装置の構成の他の例を示した図である。
【図２０】本発明の実施の形態６に係る宅内放電制御装置の構成の更に他の例を示した図である。
【図２１】従来の宅内放電制御装置の構成の一例を説明する図である。
【発明を実施するための形態】
【００５５】
以下、本発明の実施の形態について、詳細に説明する。
【００５６】
〔実施の形態１〕
（構成）
本発明の宅内放電制御装置に関する実施の一形態について図１〜図６に基づいて説明すれば以下の通りである。
【００５７】
本実施の形態に係る宅内放電制御装置１は、図１に示すように、例えば建物Ｔに設置されており、電力線Ｐ１を介して外部の蓄電池２０と着脱自在に接続され、蓄電池２０から宅内負荷３０への放電を制御するものである。
【００５８】
蓄電池２０としては、例えば、車両Ｋに備えられた蓄電池を使用することができる。車両Ｋは、例えば電気自動車である（以後、電気自動車Ｋとも呼ぶ）。なお、車両Ｋは、蓄電池を備えた車両であれば、特に限定されない。
【００５９】
なお、蓄電池２０は、車両に搭載されたものに限定されず、例えば、据置型の蓄電池であってもよい。ここでは、例えば、蓄電池２０の容量は、後述の据置型の蓄電池５の容量よりも十分に大きいものとする。
【００６０】
電気自動車Ｋは、一般に、蓄電池２０と、電流センサ２２と、制御部２４とを備えている。蓄電池２０は、その放電電流（第１放電電流）を放電する出力端２０ａを有しており、その出力端２０ａには、宅内放電制御装置１からの電力線Ｐ１が着脱自在に接続できるようになっている。電流センサ２２は、蓄電池２０の出力端２０ａから放電される放電電流を検出するものであり、例えば蓄電池２０の出力端２０ａに配設されている。制御部２４は、周知の方法により、電流センサ２２により検出された電流値に基づいて蓄電池２０の残容量を検出し、その残容量を管理するものである。
【００６１】
この構成により、電気自動車Ｋでは、出力端２０ａに電力線Ｐ１を接続することで、電力線Ｐ１を介して蓄電池２０の放電電流を宅内放電制御装置１に放電（即ち供給）することができる。その際、その放電電流は電流センサ２２により検出され、その検出結果に基づいて、制御部２４により、蓄電池２０の残容量が検出されて管理される。
【００６２】
宅内負荷３０は、建物５０に配置された電気機器であり、ここでは、交流電流（ＡＣ）で作動するＡＣ負荷３０ａである。なお、宅内負荷３０は、１つ以上の電気製品を表しており、図１では、１つだけ図示されているが、宅内放電制御装置１に対して複数の宅内付加が並列に接続されていてもよい。
【００６３】
この宅内放電制御装置１は、パワーコンディショナ（以後、パワコンと称す）３と、据置型の蓄電池５とを備えている。
【００６４】
パワコン３は、宅内負荷３０の負荷電力に応じて蓄電池２０から放電される放電電流を計算し、その計算値に応じて、各蓄電池５，２０のうち宅内負荷３０に放電させる蓄電池を切り替えるものである。
【００６５】
より詳細には、パワコン３は、上記計算値が所定値Ｉo（不図示、第１所定値）以上の場合は、蓄電池５の放電を停止して蓄電池２０の放電電流を宅内負荷３０に放電させ、他方、上記計算値が所定値Ｉo未満の場合は、蓄電池２０の放電を停止して蓄電池５の放電電流（第２放電電流）を宅内負荷３０に放電させる。即ち、パワコン３は、蓄電池２０の放電電流が所定値Ｉo以上になる場合だけ、蓄電池２０の放電電流を宅内負荷３０に放電する。
【００６６】
なお、所定値Ｉoは、車両Ｋの電流センサ２２が、蓄電池２０からパワコン３に放電される放電電流を検出する際、その検出誤差が小さくなる電流値（例えば１０Ａ程度）に設定されている。これにより、本実施の形態では、蓄電池２０から宅内負荷３０への放電電流は常に所定値Ｉo以上になるので、その放電電流は、電流センサ２２により、常に精度良く検出される。
【００６７】
例えば、蓄電池２０の電池容量が１６ｋＷｈで電池電圧が３３０Ｖの場合において、蓄電池２０を急速充電で３０分、８０％充電する場合を考える。この場合、（充電電流（Ａ）×電池電圧（Ｖ））×時間（ｈ）＝電池容量（ｋＷｈ）×充電量（％）の計算式に当てはめると、その際の充電電流は約８０Ａとなる。実際には電池容量が低い場合は、電池電圧は低下するので、充電電流はより大きくなり１００Ａ程度になる。電流センサ２２は、この充電電流を正確に検出できるように最大電流１００Ａ程度に対応したものになっている。この場合、電流センサ２２は、一般に、最大電流の１０％（従って１０Ａ）程度以上の電流まで精度良く検出することができる。
【００６８】
なお、電気自動車において、充電に加えて放電も行う場合は、充電と放電とで電流の流れる向きが逆になるため、充電と放電とで電流値は逆の符号で表される。電流センサ２２として、±１００Ａ程度に対応したものを用いると、放電電流に対しては、放電最大電流１００Ａの１０％（充放電最大電流幅２００Ａの５％）の１０Ａ程度以上の電流まで精度よく検出することができる。
【００６９】
よって、上記のように、所定値Ｉoを例えば１０Ａ程度に設定することで、パワコン３から蓄電池２０への充電電流、および、蓄電池２０からパワコン３への放電電流を電流センサ２２により精度良く検出できるようになる。
【００７０】
パワコン３は、ＤＣＤＣコンバータ１５（第１放電制御部），ＤＣＤＣコンバータ１７（第２放電制御部）と、ＤＣＡＣコンバータ１９と、電圧センサ９（第１検出部）と、電力センサ１１（第２検出部）と、制御部２１（計算部）とを備えている。
【００７１】
ＤＣＤＣコンバータ１５の入力端１５ａは、電力線Ｐ１と接続され、ＤＣコンバータ１５の出力端１５ｂは、電路Ｐ２を介してＤＣＡＣコンバータ１９の入力端１９ａに接続されている。ＤＣＤＣコンバータ１７の入力端１７ａは、蓄電池５の出力端５ｂに接続され、ＤＣＤＣコンバータ１７の出力端１７ｂは、電路Ｐ２を介してＤＣＡＣコンバータ１９の入力端１９ａに接続されている。ＤＣＡＣコンバータ１９の出力端１９ｂは、電路Ｐ３を介して宅内負荷３０に接続されている。
【００７２】
電圧センサ９は、例えばＤＣＤＣコンバータ１５の入力端１５ａに配設されており、蓄電池２０の出力電圧を検出するものである。電力センサ１１は、例えばＤＣＡＣコンバータ１９の出力端１９ｂと宅内負荷３０とを接続する電力線Ｐ３上に配設されており、宅内負荷３０の負荷電力を求めるものである。
【００７３】
制御部２１は、各コンバータ１５，１７，１９の作動／停止を制御するものである。
【００７４】
より詳細には、制御部２１は、電圧センサ９により検出された出力電圧と、電力センサ１１により検出された負荷電力とから、宅内負荷３０の負荷電力に応じて蓄電池２０から放電される放電電流（ここでは、蓄電池５を停止させた場合の蓄電池２０の放電電流）（＝負荷電力÷蓄電池２０の出力電圧）を計算する。
【００７５】
そして、制御部２１は、上記計算値が所定値Ｉo以上であるか否かを判定し、その判定結果に応じて、ＤＣＤＣコンバータ１５の作動／停止を制御する。ここでは、制御部２１は、上記計算値が所定値Ｉo以上の場合は、ＤＣＤＣコンバータ１５を作動させ、上記計算値が所定値Ｉo未満の場合は、ＤＣＤＣコンバータ１５を停止させる。なお、制御部２１は、ＤＣＤＣコンバータ１７およびＤＣＡＣコンバータ１９については、宅内放電制御装置１の作動中は常に作動させる。
【００７６】
ＤＣＤＣコンバータ１５は、宅内負荷３０へ電力を供給するために、蓄電池２０の放電電流を制御するものである。ＤＣＤＣコンバータ１５は、上記計算値が所定値Ｉo未満の場合は、制御部２１により停止され、上記計算値が所定値Ｉo以上の場合だけ、制御部２１により作動されて、蓄電池２０の放電電流をＤＣＡＣコンバータ１９に出力する。
【００７７】
その際のＤＣＤＣコンバータ１５の出力電圧Ｖ１−出力電流Ｉ１の関係は、図５（ａ）のように設定されている。即ち、出力電流Ｉ１が所定値Ｉａ未満の場合は、出力電圧Ｖ１はＶａ（一定値）になり、出力電流Ｉ１が所定値Ｉａに達すると、出力電圧Ｖ１はＶｂ≦Ｖ１≦Ｖａで変動するようになっている。なお、ここでは、Ｖａ，Ｖｂには特に制限はないが、Ｉａは十分大きな値（例えば、実際には起こり得ない値）である。
【００７８】
この設定により、ＤＣＤＣコンバータ１５は、上記計算値が所定値Ｉo以上で所定値Ｉａ’（不図示）未満の場合は、蓄電池２０から放電電流を所定値Ｉo以上に保ちながら負荷電力に応じた値になるように放電させ、その放電電流を出力電流Ｉ１として出力すると共に、その出力電圧Ｖ１をＶａに制御する。なお、Ｉａ’は、出力電流Ｉ１がＩａのときのＤＣＤＣコンバータ１５の入力電流（蓄電池２０の放電電流）の値である。
【００７９】
なお、ＤＣＤＣコンバータ１５の入力電圧（蓄電池２０の出力電圧）、入力電流（蓄電池２０の放電電流）、出力電圧Ｖ１および出力電流Ｉ１の間には、一般に、入力電圧×入力電流×効率＝出力電流×出力電圧、の関係がある。なお、この関係は、ＤＣＤＣコンバータ１７についても同様である。
【００８０】
なお、ＤＣＤＣコンバータ１５は、上述のように、制御部２１により、上記計算値が所定値Ｉo未満の場合は停止されるが、その停止状態では、ＤＣＤＣコンバータ１５の出力電圧Ｖ１は０（ゼロ）になる。この停止状態を考慮すると、ＤＣＤＣコンバータ１５の出力電圧Ｖ１−出力電流Ｉ１の関係は、図５（ｂ）に示すように、Ｉ１≧Ｉo’の場合だけ有効となり、Ｉ１＜Ｉo’の場合は、図示省略されるが、Ｖ１＝０になる。なお、Ｉo’は、蓄電池２０の放電電流がＩoのときの出力電流Ｉ１（換言すれば、電路Ｐ２に流れるバス電流（＝（蓄電池２０の出力電圧）×（蓄電池２０の放電電流）×効率／（電路Ｐ２の電圧）））である。
【００８１】
ＤＣＤＣコンバータ１７は、宅内負荷３０へ電力を供給するために、蓄電池５の放電電流を制御するものである。
【００８２】
ＤＣＤＣコンバータ１７は、蓄電池２０の放電電流をＤＣＡＣコンバータ１９に出力する。その際のＤＣＤＣコンバータ１７の出力電圧Ｖ２−出力電流Ｉ２の関係は、図５（ｃ）のように設定されている。即ち、出力電流Ｉ２が所定値Ｉｂ未満の場合は、出力電圧Ｖ２はＶｃ（一定値）になり、出力電流Ｉ２が所定値Ｉｂに達すると、出力電圧Ｖ２はＶｄ≦Ｖ１≦Ｖｃで変動するようになっている。なお、ＶｃはＶａよりも低く設定されており、ＩｂはＩoよりも大きく設定されている。
【００８３】
この設定により、ＤＣＤＣコンバータ１７は、後述のように、ＤＣＤＣコンバータ１５の動作に応じて、上記計算値が所定値Ｉo未満の場合は、蓄電池５から放電電流をＩo’未満の範囲で負荷電力に応じた値となるように放電させ、その放電電流を出力電流Ｉ２として出力し、また、上記計算値が所定値Ｉo以上の場合は、その出力電流Ｉ２の出力（即ち蓄電池５の放電電流）を停止する。
【００８４】
この宅内放電制御装置１では、どちらのＤＣＤＣコンバータ１５，１７から、どれだけの電流が出力されるかは、それらの上記の出力電圧−出力電流の設定により、以下のように決まる。
【００８５】
電路Ｐ２の電圧ＶP2は、各ＤＣＤＣコンバータ１５，１７の出力電圧Ｖ１，Ｖ２のうちの高い方の電圧となる。これにより、その高い方のＤＣＤＣコンバータ（１５または１７）の出力電流（Ｉ１またはＩ２）が、電路Ｐ２に流れるバス電流として、選択的に電路Ｐ２に出力されて、ＤＣＡＣコンバータ１９を経て宅内負荷３０に放電される。
【００８６】
よって、上記のようにＶｃがＶａよりも低く設定されると（即ちＶｃ＜Ｖａ）、上記計算値が所定値Ｉo以上の場合（即ちＩ１≧Ｉo’の場合）は、図５（ｂ）（ｃ）によりＶ１＝Ｖａ、Ｖ２≦ＶｃとなってＶ１＞Ｖ２となるので、図６（ａ）に示すように、電路Ｐ２の電圧ＶP2は、ＤＣＤＣコンバータ１５の出力電圧Ｖ１（＝Ｖａ）と等しくなる。
【００８７】
他方、上記計算値が所定値Ｉo未満の場合（即ちＩ１＜Ｉo’の場合）は、図５（ｂ）（ｃ）によりＶ１＝０、Ｖ２＝Ｖｃ（＞０）となってＶ２＞Ｖ１となるので、図６（ａ）に示すように、電路Ｐ２の電圧ＶP2は、ＤＣＤＣコンバータ１７の出力電圧Ｖ２（＝Ｖｃ）と等しくなる。
【００８８】
なお、図６（ａ）は、電路Ｐ２の電圧ＶP2と上記バス電流との関係を示した図であり、縦軸が電圧ＶP2であり、横軸が上記バス電流である。
【００８９】
従って、図６（ｂ）に示すように、上記計算値が所定値Ｉo以上の場合（即ち上記バス電流がＩo’以上の場合）は、上述の通り、電路Ｐ２の電位ＶP2はＶ１となるので、ＤＣＤＣコンバータ１５の出力電流Ｉ１が選択的にＤＣＡＣコンバータ１９に出力され、ＤＣＤＣコンバータ１７の出力電流Ｉ２は出力されない。他方、上記計算値が所定値Ｉo未満の場合（即ち上記バス電流がＩo’未満の場合）は、上述の通り、電路Ｐ２の電位ＶP2はＶ２となるので、ＤＣＤＣコンバータ１７の出力電流Ｉ２が選択的にＤＣＡＣコンバータ１９に出力される。
【００９０】
なお、図６（ｂ）は、各出力電流Ｉ１，Ｉ２と上記バス電流との関係を示した図であり、縦軸が各出力電流Ｉ１，Ｉ２であり、横軸が上記バス電流である。
【００９１】
よって、図６（ｃ）に示すように、蓄電池２０の放電電流は、放電されるときは、常に所定値Ｉo以上となる。なお、図６（ｃ）は、蓄電池２０の放電電流と上記バス電流との関係を示した図であり、縦軸が蓄電池２０の放電電流であり、横軸が上記バス電流である。
【００９２】
ＤＣＡＣコンバータ１９は、ＤＣＤＣコンバータ１５または１７の出力電流（直流電流）を入力端１９ａから入力し、交流電流に変換して、出力端１９ｂから出力するものである。なお、ＤＣＡＣコンバータ１９の出力電圧および出力電流は実効値で表される。
【００９３】
（ＤＣＤＣコンバータ１５，１７の回路構成の例）
図２は、ＤＣＤＣコンバータ１５の回路構成の一例を示すものである。以下、図２に基づいて、ＤＣＤＣコンバータ１５の回路構成および動作を説明する。
【００９４】
このＤＣＤＣコンバータ１５は、例えば双方向ＤＣＤＣコンバータであり、１次側回路８０と、２次側回路８１と、トランス８２と、制御部８３とを備えている。
【００９５】
トランス８２は、磁路を形成するコア部８２ａを備えている。このコア部８２ａには、２つの１次コイルＬ１，Ｌ２と２次コイルＬ３とが巻回されている。
【００９６】
１次側回路８０は、１対の端子１５ａ（Ｔ１，Ｔ２）と、スイッチＳＷ１〜ＳＷ４と、容量Ｃ１，Ｃ２と、２つの１次コイルＬ１，Ｌ２と、コイルＬ４，Ｌ５とを備えている。各スイッチＳＷ１〜ＳＷ４は、例えば半導体スイッチである。
【００９７】
スイッチＳＷ１の一端は、スイッチＳＷ４の一端に接続され、スイッチＳＷ１の他端は、スイッチＳＷ２を介して１次コイルＬ１の一端に接続されている。コイルＬ４の一端は、各スイッチＳＷ１，ＳＷ２の間の分岐点Ｎ１に接続され、コイルＬ４の他端は、容量Ｃ１を介して各スイッチＳＷ１，ＳＷ４の間の分岐点Ｎ２に接続されている。
【００９８】
スイッチＳＷ４の一端は、上述の通り、スイッチＳＷ１の一端に接続され、スイッチＳＷ４の他端は、スイッチＳＷ３を介して１次コイルＬ２の一端に接続されている。コイルＬ５の一端は、各スイッチＳＷ３，ＳＷ４の間の分岐点Ｎ４に接続され、コイルＬ５の他端は、容量Ｃ２を介して分岐点Ｎ３に接続されている。分岐点Ｎ３は、スイッチＳＷ４と分岐点Ｎ２との間の分岐点である。
【００９９】
１次コイルＬ１の他端と１次コイルＬ２の他端とは、互いに接続されている。各１次コイルＬ１，Ｌ２の間の分岐点Ｎ５は、各分岐点Ｎ２，Ｎ３の間の分岐点Ｎ６に接続されている。分岐点Ｎ６には、端子Ｔ２が接続されている。コイルＬ４と容量Ｃ１との間の分岐点Ｎ７と、コイルＬ５と容量Ｃ２との間の分岐点Ｎ８とは、互いに接続されている。各分岐点Ｎ７，Ｎ８の間の分岐点Ｎ９には、端子Ｔ１が接続されている。
【０１００】
１対の端子Ｔ１，Ｔ２は、電力線Ｐ１を介して蓄電池２０に接続される。
【０１０１】
２次側回路８１は、１対の端子１５ｂ（Ｔ３，Ｔ４）と、スイッチＳＷ５〜ＳＷ８と、２次コイルＬ３とを備えている。各スイッチＳＷ５〜ＳＷ８は、例えば半導体スイッチである。
【０１０２】
端子Ｔ３は、各スイッチＳＷ５，ＳＷ６の一端に共通接続されている。端子Ｔ４は、各スイッチＳＷ７，ＳＷ８の一端に共通接続されている。各スイッチＳＷ５，ＳＷ７の他端は互いに接続されている。各スイッチＳＷ６，ＳＷ８の他端は互いに接続されている。各スイッチＳＷ５，ＳＷ７の間の分岐点Ｎ９は、２次コイルＬ３の一端に接続され、スイッチＳＷ６，ＳＷ８の間の分岐点Ｎ１０は、２次コイルＬ３の他端に接続されている。
【０１０３】
なお、１対の端子Ｔ３，Ｔ４は、電路Ｐ２に接続されている。
【０１０４】
各端子Ｔ１〜Ｔ４には、図示省略されるが、それら各端子の電圧を検出する電圧センサ、および、それら各端子に流れる電流を検出する電流センサが配設されている。
【０１０５】
制御部８３は、上記各電圧センサおよび上記各電流センサの各々の検出結果に基づいて各スイッチＳＷ１〜ＳＷ８をオンオフ制御すると共に、制御部２１の制御に応じて各スイッチＳＷ１〜ＳＷ８をオンオフ制御する。これにより、ＤＣＤＣコンバータ１５の出力電圧および出力電流は、例えば図５（ａ）（ｂ）の設定の様に制御される。
【０１０６】
なお、このＤＣＤＣコンバータ１５では、各端子Ｔ１，Ｔ２から電力を入力し、各スイッチＳＷ１〜ＳＷ８のオンオフ制御により、その電力の電圧を昇圧して、各端子Ｔ３，Ｔ４から出力する。また、各端子Ｔ３，Ｔ４から電力を入力し、各スイッチＳＷ１〜ＳＷ８のオンオフ制御により、その電力の電圧を降圧して、各端子Ｔ１，Ｔ２から出力することも可能である。
【０１０７】
なお、ＤＣＤＣコンバータ１５が、各端子Ｔ１，Ｔ２からの電力を昇圧して各端子Ｔ３，Ｔ４から出力する場合は、例えば、下記のように動作する。
【０１０８】
（１）１次側回路８０において、スイッチＳＷ１がオンされ、且つ、スイッチＳＷ２〜ＳＷ４がオフされると、各端子Ｔ１，Ｔ２からの蓄電池２０の電圧により、コイルＬ４が磁化されて、コイルＬ４に磁気エネルギーが蓄えられる。
【０１０９】
そして、（２）スイッチＳＷ１，ＳＷ３，ＳＷ４がオフされ、且つスイッチＳＷ２がオンされると、各端子Ｔ１，Ｔ２からの蓄電池２０の電圧に加えて、コイルＬ４に蓄えられた磁気エネルギーが電気エネルギーとして放出され、蓄電池２０の電圧よりも高い電圧で、コイルＬ１，Ｌ３（即ちトランス８２）により２次側回路８１側に伝えられる。２次側回路８１では、スイッチＳＷ５，ＳＷ８がオンされ、且つスイッチＳＷ６，ＳＷ７がオフされることで、２次側回路８１側に伝えられた電力は、図示しないキャパシタなどで平滑化されて、各端子Ｔ３、Ｔ４を介して電路Ｐ２側から直流電力として出力される。スイッチＳＷ１のオン時間を変えることで、コイルＬ４に蓄えられる磁気エネルギーの量が変わり、ＤＣＤＣコンバータ１５の端子Ｔ３，Ｔ４からの出力電圧（昇圧量）が制御される。
【０１１０】
同様に、（３）１次側回路８０において、スイッチＳＷ４がオンされ、且つスイッチＳＷ１〜ＳＷ３がオフされると、各端子Ｔ１，Ｔ２からの蓄電池２０の電圧により、コイルＬ５が磁化されて、コイルＬ５に磁気エネルギーが蓄えられる。
【０１１１】
そして、（４）スイッチＳＷ１，ＳＷ２，ＳＷ４がオフされ、且つスイッチＳＷ３がオンされると、各端子Ｔ１，Ｔ２からの蓄電池２０の電圧に加えて、コイルＬ５に蓄えられた磁気エネルギーが電気エネルギーとして放出され、蓄電池２０の電圧よりも高い電圧で、コイルＬ２，Ｌ３（即ちトランス８２）により２次側回路８１に伝えられる。２次側回路８１では、各スイッチＳＷ６，ＳＷ７がオンされ、且つ各スイッチＳＷ５，ＳＷ８がオフされることで、２次側回路８１側に伝えられた電力は、図示しないキャパシタなどで平滑化されて、各端子Ｔ３，Ｔ４を介して電路Ｐ２側に直流電力として出力される。
【０１１２】
上記（２）（４）が交互に行われることで、各端子Ｔ１，Ｔ２に入力された蓄電池２０からの電力が、各端子Ｔ３，Ｔ４から電路Ｐ２側に昇圧されて出力される。なお、２つのコイルＬ１，Ｌ２を使うのは、昇圧幅を大きく取り易くするためである。また、上記（１）は上記（４）の動作中に行っても良く、上記（３）は上記（２）の動作中に行っても良い。
【０１１３】
なお、このＤＣＤＣコンバータの構成および動作は一例であり、一般的な双方向ＤＣＤＣコンバータを使用することができる。
【０１１４】
なお、ＤＣＤＣコンバータ１７も、このＤＣＤＣコンバータ１５と同様に構成される。
【０１１５】
（動作）
次に図３に基づいて宅内放電制御装置１の動作を説明する。
【０１１６】
ステップＳ１では、宅内放電制御装置１が起動される。宅内放電制御装置１の起動時には、制御部２１により、ＤＣＤＣコンバータ１５は作動されず（即ち停止され）、ＤＣＤＣコンバータ１７およびＤＣＡＣコンバータ１９が作動される。これにより、蓄電池５からの放電電流が、ＤＣＤＣコンバータ１７およびＤＣＡＣコンバータ１９を経て、宅内負荷３０に放電される。即ち、宅内負荷３０への電力供給が行われる。
【０１１７】
なお、ここでは、宅内放電制御装置１の起動時は、宅内負荷３０の負荷電力が不明なので、ＤＣＤＣコンバータ１５を停止させて、蓄電池５の放電電流を宅内負荷３０に放電させるが、ＤＣＤＣコンバータ１５を作動させて、蓄電池２０の放電電流を宅内負荷３０に放電させてもよい。
【０１１８】
ステップＳ２では、電力センサ１１により、宅内負荷３０の負荷電力が検出される。また、電圧センサ９により、蓄電池２０の出力電圧が検出される。そして、制御部２１により、各センサ９，１１の検出結果に基づいて、蓄電池２０から放電される放電電流の電流値（＝負荷電力÷蓄電池２０の出力電圧）が計算され、その計算値が所定値Ｉo以上であるか否かが判定される。この判定結果に応じて、制御部２１により、ＤＣＤＣコンバータ１５の作動／停止が制御される。
【０１１９】
なお、本実施の形態では、ＤＣＤＣコンバータ１５は、上記の判定結果に応じて、その作動／停止が制御部２１により切替制御されるが、ＤＣＤＣコンバータ１７およびＤＣＡＣコンバータ１９は、宅内放電制御装置１の起動中は、常時作動するように制御部２１により制御される。
【０１２０】
ステップＳ３では、上記の判定の結果、上記計算値が所定値Ｉo以上の場合は、ステップＳ４に進み、他方、上記計算値が所定値Ｉo未満の場合は、ステップＳ５に進む。
【０１２１】
ステップＳ４では、制御部２１により、ＤＣＤＣコンバータ１５が作動される。即ち、両方のＤＣＤＣコンバータ１５，１７が作動中となる。両方のＤＣＤＣコンバータ１５、１７が作動中の場合は、それら両方のうち、出力電圧Ｖ１，Ｖ２の高い方の出力電流（Ｉ１またはＩ２）が選択的にＤＣＡＣコンバータ１９に出力されて宅内負荷３０に放電される。
【０１２２】
ここでは、両方のＤＣＤＣコンバータ１５，１７の作動中は、ＤＣＤＣコンバータ１５の出力電圧Ｖ１がＤＣＤＣコンバータ１７の出力電圧Ｖ２よりも高くなるので、ＤＣＤＣコンバータ１５の出力電流Ｉ１（即ち蓄電池２０の放電電流）が選択的にＤＣＡＣコンバータ１９に出力されて宅内負荷３０に放電される。即ち、上記計算値が所定値Ｉo以上の場合（即ち蓄電池２０の放電電流が所定値Ｉo以上になる場合）は、蓄電池２０の放電電流が放電される。そして、ステップＳ２に戻る。
【０１２３】
ステップＳ５では、制御部２１により、ＤＣＤＣコンバータ１５が停止される。これにより、ＤＣＤＣコンバータ１５の出力電圧Ｖ１は０（ゼロ）になって、ＤＣＤＣコンバータ１７の出力電圧Ｖ２は、ＤＣＤＣコンバータ１５の出力電圧Ｖ１よりも高くなるので、ＤＣＤＣコンバータ１７の出力電流Ｉ２（即ち蓄電池２０の放電電流）がＤＣＡＣコンバータ１９に出力されて宅内負荷３０に放電される。即ち、上記計算値が所定値Ｉo未満の場合（即ち蓄電池２０の放電電流が所定値Ｉo未満になる場合）は、蓄電池２０は放電されず、蓄電池５の放電電流が放電される。そして、ステップＳ２に戻る。
【０１２４】
このように、蓄電池２０の放電電流は、所定値Ｉo以上になる場合だけ放電される。
【０１２５】
次に、図４に基づいて、この宅内放電制御装置１の動作を説明する。
【０１２６】
図４は、宅内負荷３０の負荷電力Ｐの変動の一例を示した図である。縦軸が負荷電力Ｐを示し、横軸が時刻ｔを示している。なお、図４中のＰoは、上記計算値（＝負荷電力／蓄電池２０の出力電圧）が所定値Ｉoの場合の負荷電力である。
【０１２７】
各期間Ｑ１,Ｑ３，Ｑ５では、負荷電力ＰはＰo未満となるので、上記計算値は所定値Ｉo未満となる（即ち上記バス電流はＩo’未満となる）。よって、これら各期間Ｑ１,Ｑ３，Ｑ５では、図６（ｂ）に示すように、ＤＣＤＣコンバータ１５から出力電流Ｉ１は出力されず（従って、蓄電池２０からは放電されず）、ＤＣＤＣコンバータ１７から、負荷電力Ｐに応じた所定値Ｉo’未満の出力電流Ｉ２が出力される（従って、蓄電池５から負荷電力Ｐに応じた放電電流が放電される）。そして、その出力電流Ｉ２がＤＣＡＣコンバータ１９を経て宅内負荷３０に放電される。このように、各期間Ｑ１,Ｑ３，Ｑ５では、蓄電池５の放電により供給される電力Ｐｂにより、負荷電力Ｐが賄われる。
【０１２８】
また、各期間Ｑ２,Ｑ４では、負荷電力ＰはＰo以上となるので、上記計算値は所定値Ｉo以上となる（即ち上記バス電流はＩo’以上となる）。よって、これら各期間Ｑ２,Ｑ４では、図６（ｂ）に示すように、ＤＣＤＣコンバータ１７から出力電流Ｉ２は出力されず（従って、蓄電池５からは放電されず）、ＤＣＤＣコンバータ１５から、負荷電力Ｐに応じた所定値Ｉo’以上の出力電流Ｉ１が出力される（従って、蓄電池２０から所定値Ｉo以上の放電電流が放電される）。そして、その出力電流Ｉ１がＤＣＡＣコンバータ１９を経て宅内負荷３０に放電される。このように、これら各期間Ｑ２,Ｑ４では、蓄電池２０の放電により供給される電力Ｐａにより、負荷電力Ｐが賄われる。
【０１２９】
このように、蓄電池２０の放電電流は、所定値Ｉo以上になる場合だけ放電される。
【０１３０】
なお、実施の形態１において、蓄電池２０の残容量が所定量未満の場合は、蓄電池２０の放電を停止させてもよい（変形例１）。より詳細には、例えば、車両Ｋの制御部２４から装置１の制御部２１に蓄電池２０の残容量の情報を無線または有線で送信し、制御部２１において、その情報に基づいて蓄電池２０の残容量が所定量未満であるか否かを判定し、その判定の結果、蓄電池２０の残容量が所定量未満である場合は、上記計算値が所定値Ｉo以上の場合でも、蓄電池２０の放電を停止（即ちＤＣＤＣコンバータ１５を停止）させればよい。これにより、蓄電池２０の残容量が空、もしくは運転に支障を来たす少量になることを防止することができる。
【０１３１】
更に、上記変形例１において、後述の実施の形態６の宅内放電制御装置１Ｇ（図１９）のように、更にＡＣ系統４０を利用する場合において、蓄電池２０の残容量が所定量未満の場合は、ＡＣ系統４０の出力電流により蓄電池２０を充電してもよい。
【０１３２】
なお、この実施の形態のパワコン３は「電気自動車等の車両Ｋの充放電制御」を規定するものであり、パワコンの全ての動作を規定するものではない。パワコンのなかの一部として、この実施の形態のパワコン３が組み込まれていてもよい。
【０１３３】
〔実施の形態２〕
実施の形態１では、蓄電池２０の放電電流の計算値が所定値Ｉo以上の場合だけ蓄電池２０を放電させ、その際、その放電電流を所定値Ｉo以上の値を保ちながら負荷電力に応じた電流になるように放電させたが、本実施の形態では、上記計算値が所定値Ｉo以上の場合だけ蓄電池２０を放電させ、その際、その放電電流を所定値Ｉoになるように制御して放電させる。
【０１３４】
更に、本実施の形態では、上記計算値が所定値Ｉoを超える場合は、負荷電力のうち蓄電池２０の放電電流では不足する分を補うように、蓄電池５を放電させる。
【０１３５】
以下、図１，図７〜図９に基づいて、本実施の形態に係る宅内放電制御装置１Ｂについて詳説する。なお、実施の形態１と同じ部材については同じ符号を付して説明を省略し、実施の形態１と異なる点を中心に説明する。
【０１３６】
（構成）
本実施の形態のＤＣＤＣコンバータ１５Ｂは、上記計算値が所定値Ｉo未満の場合は、制御部２１により停止され、上記計算値が所定値Ｉo以上の場合だけ、制御部２１により作動されて、蓄電池２０の放電電流を出力する。その際、ＤＣＤＣコンバータ１５Ｂは、例えば図７（ａ）に示すように、その出力電流Ｉ１を所定値Ｉo’となるように制御すると共に、その出力電圧Ｖ１をＶａ≦Ｖ１≦Ｖｂに制御する。なお、Ｉo’は、蓄電池２０の放電電流がＩoのときの出力電流Ｉ１である。
【０１３７】
より詳細には、ＤＣＤＣコンバータ１５Ｂは、上記計算値が所定値Ｉoの場合は、その出力電流Ｉ１を所定値Ｉo’に制御すると共に、その出力電圧Ｖ１を電圧Ｖａに制御する。そして、コンバータ１５Ｂは、上記計算値が所定値Ｉoを越える場合は、その出力電流Ｉ１を所定値Ｉo’に制御した状態で、その出力電圧Ｖ１を電圧Ｖａよりも低い電圧Ｖｃに制御する。なお、電圧Ｖｃは、後述するように、ＤＣＤＣコンバータ１７Ｂの出力電圧Ｖ２の上限電圧と等しい。
【０１３８】
本実施の形態のＤＣＤＣコンバータ１７Ｂは、実施の形態１のＤＣＤＣコンバータ１７と同様に構成される。
【０１３９】
図７（ｂ）は、ＤＣＤＣコンバータ１７Ｂの出力電圧Ｖ２−出力電流Ｉ２の設定の一例を示した図である。図７（ｂ）は、例えば、ＤＣＤＣコンバータ１７Ｂの出力電流Ｉ２の上限電流ＩｄがＤＣＤＣコンバータ１７の出力電流Ｉ２の上限電流Ｉｂ（図５（ｃ）参照）よりも大きい値に設定される以外は、図５（ｃ）と同じである。なお、実施の形態１では、ＤＣＤＣコンバータ１７の出力電流Ｉ２は、所定値Ｉo’未満の値しか取らないが（図６（ａ）参照）、本実施の形態では、ＤＣＤＣコンバータ１７Ｂの出力電流Ｉ２は、実施の形態１の場合よりもおおく流れるので、上述のように、上限電流Ｉｄは上限電流Ｉｂよりも大きく設定されている。
【０１４０】
この設定により、ＤＣＤＣコンバータ１７Ｂは、後述のように、ＤＣＤＣコンバータ１５Ｂの動作と連動して、上記計算値が所定値Ｉo未満の場合は、蓄電池５の放電電流を負荷電力に応じた電流となるように出力し、また、上記計算値が所定値Ｉoの場合は、蓄電池５を放電させず、また、上記計算値が所定値Ｉoよりも大きい場合は、蓄電池５の放電電流を、負荷電力のうちＤＣＤＣコンバータの出力電流Ｉ１で不足する分を補うように出力する。
【０１４１】
この宅内放電制御装置１８では、どちらのＤＣＤＣコンバータ１５Ｂ，１７Ｂから、どれだけの電流が出力されるかは、それらの上記の出力電圧−出力電流の設定により、以下のように決まる。
【０１４２】
図８（ａ）に示すように、上記計算値が所定値Ｉo未満の場合（即ち電路Ｐ２に流れるバス電流（即ちＩ１およびＩ２のうちの少なくとも一方の電流）がＩo’未満の場合）は、電路Ｐ２の電圧ＶP2は、実施の形態１の場合と同様に、コンバータ１７Ｂの出力電圧Ｖ２（＝Ｖｃ）と同じ電圧になる。また、上記計算値が所定値Ｉoの場合（即ち上記バス電流がＩo’の場合）は、Ｖａ＞Ｖｃなので、ＤＣＤＣコンバータ１５Ｂの出力電圧Ｖ１（＝Ｖａ）の方がＤＣＤＣコンバータ１７Ｂの出力電圧Ｖ２（＝Ｖｃ）よりも高くなるので、電路Ｐ２の電圧ＶP2はＶ１（＝Ｖａ）となる。また、上記計算値が所定値Ｉoを越える場合（即ち上記バス電流がＩo’を越える場合）は、上述の通り、ＤＣＤＣコンバータ１５Ｂの出力電圧Ｖ１がＤＣＤＣコンバータ１７Ｂの出力電圧Ｖ２（＝Ｖｃ）まで低下するので、電路Ｐ２の電圧ＶP2はＶ１（＝Ｖ２＝Ｖｃ）となる。
【０１４３】
従って、図８（ｂ）に示すように、上記計算値が所定値Ｉo未満の場合（即ち上記バス電流がＩo’未満の場合）は、上述の通り、電路Ｐ２の電圧ＶP2はＶ２となるので、ＤＣＤＣコンバータ１７Ｂの出力電流Ｉ２（即ち蓄電池５の放電電流）が選択的にＤＣＡＣコンバータ１９に出力され、ＤＣＤＣコンバータ１５Ｂの出力電流Ｉ１（即ち蓄電池２０の放電電流）は出力されない。また、上記計算値が所定値Ｉoの場合（即ち上記バス電流がＩo’の場合）は、上述の通り、電路Ｐ２の電圧ＶP2はＶ１となるので、ＤＣＤＣコンバータ１５Ｂの出力電流Ｉ１が選択的にＤＣＡＣコンバータ１９に出力され、ＤＣＤＣコンバータ１７Ｂの出力電流Ｉ２は出力されない。
【０１４４】
そして、上記計算値が所定値Ｉoを越える場合（即ち上記バス電流がＩo’を越える場合）は、電路Ｐ２の電圧ＶP2はＶ１（＝Ｖ２＝Ｖｃ）となるので、両方のＤＣＤＣコンバータ１５Ｂ，１７Ｂの出力電流Ｉ１，Ｉ２が出力される。即ち、ＤＣＤＣコンバータ１５Ｂから、所定値Ｉo’に制御された出力電流Ｉ１が出力される（即ち蓄電池２０から所定値Ｉoの放電電流が放電される）と共に、ＤＣＤＣコンバータ１７Ｂから、負荷電力のうち、上記出力電流Ｉ１で不足する分を補うように出力電流Ｉ２が出力される（即ち、蓄電池５から、負荷電力のうち蓄電池２０の放電電流で不足する分を補うように、放電電流が放電される）。
【０１４５】
よって、図８（ｃ）に示すように、蓄電池２０の放電電流は、放電されるときは常に、所定値Ｉoとなる。なお、図８（ｃ）は、蓄電池２０の放電電流と上記バス電流との関係を示した図であり、縦軸が蓄電池２０の放電電流であり、横軸が上記バス電流である。
【０１４６】
（動作）
図９は、宅内負荷３０の負荷電力Ｐの変動の一例を示した図である。縦軸が負荷電力Ｐを示し、横軸が時間ｔを示している。なお、図９中のＰoは、上記計算値（＝負荷電力／蓄電池２０の出力電圧）が所定値Ｉoの場合の負荷電力である。
【０１４７】
各期間Ｑ１,Ｑ３，Ｑ５では、負荷電力ＰはＰo未満となるので、上記計算値は所定値Ｉo未満となる（即ち上記バス電流はＩo’未満となる）。よって、これら各期間Ｑ１,Ｑ３，Ｑ５では、図８（ｂ）に示すように、ＤＣＤＣコンバータ１５Ｂから出力電流Ｉ１は出力されず（従って、蓄電池２０からは放電されず）、ＤＣＤＣコンバータ１７Ｂから、負荷電力Ｐに応じた所定値Ｉo’未満の出力電流Ｉ２が出力される（従って、蓄電池５から負荷電力Ｐに応じた放電電流が放電される）。そして、その出力電流Ｉ２がＤＣＡＣコンバータ１９を経て宅内負荷３０に放電される。このように、各期間Ｑ１,Ｑ３，Ｑ５では、蓄電池５の放電により供給される電力Ｐｂにより、負荷電力Ｐが賄われる。
【０１４８】
各期間Ｑ２，Ｑ４では、負荷電力ＰがＰoよりも大きくなるので、上記計算値は所定値Ｉoよりも大きくなる（即ち上記バス電流はＩo’よりも大きくなる）。よって。これら各期間Ｑ２，Ｑ４では、図８（ｂ）に示すように、ＤＣＤＣコンバータ１５Ｂから所定値Ｉo’の出力電流Ｉ１が出力され（従って、蓄電池２０から所定値Ｉoの放電電流が放電され）、その出力電流Ｉ１がＤＣＡＣコンバータ１９を経て宅内負荷３０に放電される。
【０１４９】
これに並行して、ＤＣＤＣコンバータ１７Ｂから、負荷電力Ｐのうち出力電流Ｉ１で不足する分を補うように出力電流Ｉ２が出力され（従って、蓄電池５から、負荷電力Ｐのうち蓄電池２０の放電電流で不足する分を補うように、放電電流が放電され）、その出力電流Ｉ２がＤＣＡＣコンバータ１９を経て宅内負荷３０に放電される。
【０１５０】
このように、これら各期間Ｑ２，Ｑ４では、蓄電池２０の放電により供給される電力Ｐａ（＝Ｐo）と、蓄電池５の放電により供給される電力Ｐｂとにより、負荷電力Ｐが賄われる。
【０１５１】
なお、図示されないが、負荷電力ＰがＰoとなる場合は、上記計算値は所定値Ｉoとなる（即ち上記バス電流はＩo’となる）。よって、この場合では、図８（ｂ）に示すように、ＤＣＤＣコンバータ１７Ｂから出力電流Ｉ２は出力されず（従って、蓄電池５からは放電されず）、ＤＣＤＣコンバータ１５Ｂから所定値Ｉo’の出力電流Ｉ１が出力され（従って、蓄電池２０から所定値Ｉoの放電電流が放電され）、その出力電流Ｉ１がＤＣＡＣコンバータ１９を経て宅内負荷３０に放電される。このように、この場合では、蓄電池２０の放電により供給される電力Ｐａ（＝Ｐo）により、負荷電力Ｐが賄われる。
【０１５２】
このように、蓄電池２０の放電中（期間Ｑ２，Ｑ４および上記の図示省略の場合）は、蓄電池２０の放電電流は所定値Ｉoとなる。
【０１５３】
〔実施の形態３〕
実施の形態１では、蓄電池２０の放電電流の計算値が所定値Ｉo（第１所定値）以上の場合だけ、蓄電池２０の放電電流を、所定値Ｉo以上の値を保ちながら負荷電力に応じた電流になるように放電させたが、本実施の形態では、実施の形態１において更に、蓄電池２０の放電電流を、所定値Ｉoよりも大きい所定値Ｉｓ’（不図示、第２所定値）を超えないように制御して放電する。
【０１５４】
以下、図１，図１０〜図１２に基づいて、本実施の形態に係る宅内放電制御装置１Ｃについて詳説する。なお、実施の形態１と同じ部材については同じ符号を付して説明を省略し、実施の形態１と異なる点を中心に説明する。
【０１５５】
（構成）
本実施の形態のＤＣＤＣコンバータ１５Ｃは、上記計算値が所定値Ｉo未満の場合は、制御部２１により停止され、上記計算値が所定値Ｉo以上の場合だけ、制御部２１により作動されて、蓄電池２０の放電電流を出力する。
【０１５６】
その際のＤＣＤＣコンバータ１５Ｃの出力電圧Ｖ１−出力電流Ｉ１の関係は、例えば図１０（ａ）に示すように設定されている。即ち、出力電流Ｉ１がＩo’≦Ｉ１≦Ｉsの場合は、出力電圧Ｖ１がＶ１＝Ｖａとなり、出力電流Ｉ１が所定値Ｉsに達すると、出力電圧Ｖ１はＶｂ≦Ｖ１≦Ｖａの範囲内の値（ここではＶ１＝Ｖｃ）となる。なお、Ｉo’は、蓄電池２０の放電電流がＩoのときの出力電流Ｉ１の値であり、Ｉsは、蓄電池２０の放電電流がＩｓ’のときの出力電流Ｉ１の値である。
【０１５７】
この設定により、ＤＣＤＣコンバータ１５Ｃは、上記計算値が所定値Ｉo以上で所定値Ｉs’以下の場合は、その出力電圧Ｖ１を上限電圧Ｖaに制御すると共に、その出力電流Ｉ１をＩo’≦Ｉ１≦Ｉsの範囲で負荷電力に応じた電流となるように出力する。そして、ＤＣＤＣコンバータ１５Ｃは、上記計算値が所定値Ｉsを超える場合は、その出力電流Ｉ１を所定値Ｉs’に制御すると共に、その出力電圧Ｖ１を上限電圧Ｖａよりも低い電圧Ｖｃに制御する。なお、電圧Ｖｃは、後述するように、ＤＣＤＣコンバータ１７Ｃの出力電圧Ｖ２の上限電圧に等しい。
【０１５８】
本実施の形態のＤＣＤＣコンバータ１７Ｃは、実施の形態１のＤＣＤＣコンバータ１７と同様に構成される。
【０１５９】
図１０（ｂ）は、ＤＣＤＣコンバータ１７Ｃの出力電圧Ｖ２−出力電流Ｉ２の設定の一例を示した図である。図１０（ｂ）は、図５（ｃ）と同じである。
【０１６０】
この設定により、ＤＣＤＣコンバータ１７Ｃは、後述のように、ＤＣＤＣコンバータ１７Ｃの動作と連動して、上記計算値が所定値Ｉo未満の場合は、実施の形態１の場合と同様に、蓄電池５の放電電流を、負荷電力に応じた電流となるように出力し、また、上記計算値が所定値Ｉo以上で所定値Ｉs’以下の場合は、蓄電池５を放電させず、また、上記計算値が所定値Ｉs’よりも大きい場合は、蓄電池５の放電電流を、負荷電力のうちＤＣＤＣコンバータの出力電流Ｉ１で不足する分を補うように出力する。
【０１６１】
この宅内放電制御装置１Ｃでは、どちらのＤＣＤＣコンバータ１５Ｃ，１７Ｃから、どれだけの電流が出力されるかは、これらの上記の出力電圧−出力電流の設定により、以下のように決まる。
【０１６２】
図１１（ａ）に示すように、上記計算値が所定値Ｉo未満の場合（即ち電路Ｐ２に流れるバス電流（即ちＩ１またはＩ２のうちの少なくとも一方の電流）がＩo’未満の場合）は、電路Ｐ２の電圧ＶP2は、実施の形態１の場合と同様に、ＤＣＤＣコンバータ１７Ｃの出力電圧ＶP2（＝Ｖｃ）と同じ電圧になる。また、上記計算値が所定値Ｉo以上で所定値Ｉs’以下の場合（即ち上記バス電流がＩo’以上Ｉs以下の場合）は、Ｖａ＞Ｖｃなので、ＤＣＤＣコンバータ１５Ｃの出力電圧Ｖ１（＝Ｖａ）の方がＤＣＤＣコンバータ１７Ｃの出力電圧Ｖ２（＝Ｖｃ）よりも高くなるので、電路Ｐ２の電圧ＶP2はＶ１（＝Ｖａ）となる。また、上記計算値が所定値Ｉs’を越える場合（即ち上記バス電流がＩsを越える場合）は、上述の通り、ＤＣＤＣコンバータ１５Ｃの出力電圧Ｖ１がＤＣＤＣコンバータ１７Ｃの出力電圧Ｖ２（＝Ｖｃ）まで低下するので、電路Ｐ２の電圧ＶP2はＶ１（＝Ｖ２＝Ｖｃ）となる。
【０１６３】
従って、図１１（ｂ）に示すように、上記計算値が所定値Ｉo未満の場合（即ち上記バス電流がＩo’未満の場合）は、上述の通り、電路Ｐ２の電圧ＶP2はＶ２となるので、ＤＣＤＣコンバータ１７Ｃの出力電流Ｉ２（即ち蓄電池５の放電電流）が選択的にＤＣＡＣコンバータ１９に出力され、ＤＣＤＣコンバータ１５Ｃの出力電流Ｉ１（即ち蓄電池２０の放電電流）は出力されない。また、上記計算値が所定値Ｉo以上で所定値Ｉs’以下の場合（即ち上記バス電流がＩo’以上Ｉs以下の場合）は、上述の通り、電路Ｐ２の電圧ＶP2はＶ１となるので、ＤＣＤＣコンバータ１５Ｂの出力電流Ｉ１が選択的にＤＣＡＣコンバータ１９に出力され、ＤＣＤＣコンバータ１７Ｂの出力電流Ｉ２は出力されない。
【０１６４】
そして、上記計算値が所定値Ｉs’を越える場合（即ち上記バス電流がＩsを越える場合）は、電路Ｐ２の電圧ＶP2はＶ１（＝Ｖ２＝Ｖｃ）となるので、両方のＤＣＤＣコンバータ１５Ｃ，１７Ｃの出力電流Ｉ１，Ｉ２が出力される。即ち、ＤＣＤＣコンバータ１５Ｃから、所定値Ｉsに制御された出力電流Ｉ１が出力される（即ち、蓄電池２０から所定値Ｉoの放電電流が放電される）と共に、ＤＣＤＣコンバータ１７Ｃから、負荷電力のうち、上記出力電流Ｉ１で不足する分を補うように出力電流Ｉ２が出力される（即ち、蓄電池５から、負荷電力のうち蓄電池２０の放電電流で不足する分を補うように放電電流が放電される）。
【０１６５】
よって、図１１（ｃ）に示すように、蓄電池２０の放電電流は、放電されるときは常に、所定値Ｉo以上となる（より詳細には、所定値Ｉoと所定値Ｉｓ’との間で変動する）。なお、図１１（ｃ）は、蓄電池２０の放電電流と上記バス電流との関係を示した図であり、縦軸が蓄電池２０の放電電流であり、横軸が上記バス電流である。
【０１６６】
（動作）
図１２は、宅内負荷３０の負荷電力Ｐの変動の一例を示した図である。縦軸が負荷電力Ｐを示し、横軸が時間ｔを示している。なお、図９中のＰoは、上記計算値（＝負荷電力／蓄電池２０の出力電圧）が所定値Ｉoの場合の負荷電力であり、Ｐsは、上記計算値が所定値Ｉs’の場合（即ち上記バス電流が所定値Ｉsの場合）の負荷電力である。
【０１６７】
各期間Ｑ１,Ｑ３，Ｑ５では、負荷電力ＰはＰo未満となるので、上記計算値は所定値Ｉo未満となる（即ち上記バス電流はＩo’未満となる）。よって、これら各期間Ｑ１,Ｑ３，Ｑ５では、図１１（ｂ）に示すように、ＤＣＤＣコンバータ１５Ｃから出力電流Ｉ１は出力されず（従って、蓄電池２０からは放電されず）、ＤＣＤＣコンバータ１７Ｃから、負荷電力Ｐに応じた所定値Ｉo’未満の出力電流Ｉ２が出力される（従って、蓄電池５から負荷電力Ｐに応じた放電電流が放電される）。そして、その出力電流Ｉ２がＤＣＡＣコンバータ１９を経て宅内負荷３０に放電される。このように、各期間Ｑ１,Ｑ３，Ｑ５では、蓄電池５の放電により供給される電力Ｐｂにより、負荷電力Ｐが賄われる。
【０１６８】
期間Ｑ２では、負荷電力ＰがＰsよりも大きくなるので、上記計算値は所定値Ｉs’よりも大きくなる（即ち上記バス電流はＩsよりも大きくなる）。よって。この期間Ｑ２では、図１１（ｂ）に示すように、ＤＣＤＣコンバータ１５Ｃから、所定値Ｉsの出力電流Ｉ１が出力され（従って、蓄電池２０から所定値Ｉs’の放電電流が放電され）、その出力電流Ｉ１がＤＣＡＣコンバータ１９を経て宅内負荷３０に放電される。
【０１６９】
これに並行して、ＤＣＤＣコンバータ１７Ｃから、負荷電力Ｐのうち出力電流Ｉ１で不足する分を補うように出力電流Ｉ２が出力され（従って、蓄電池５から、負荷電力Ｐのうち出力電流Ｉ１で不足する分を補うように放電電流が放電され）、その出力電流Ｉ２がＤＣＡＣコンバータ１９を経て宅内負荷３０に放電される。
【０１７０】
このように、この期間Ｑ２では、蓄電池２０の放電により供給される電力Ｐａ（＝Ｐs)と、蓄電池５の放電により供給される電力Ｐｂとにより、負荷電力Ｐが賄われる。
【０１７１】
期間Ｑ４では、負荷電力ＰがＰo≦Ｐ≦Ｐsとなるので、上記計算値は所定値Ｉo以上で所定値Ｉs’以下となる（即ち上記バス電流はＩo’以上でＩs以下となる）。よって、この期間Ｑ４では、図１１（ｂ）に示すように、ＤＣＤＣコンバータ１７Ｃから出力電流Ｉ２は出力されず（従って、蓄電池５からは放電されず）、ＤＣＤＣコンバータ１５Ｃから、Ｉo’≦Ｉ１≦Ｉsの範囲内で負荷電力Ｐに応じた出力電流Ｉ１が出力され（従って、蓄電池２０から、Ｉo≦Ｉ１≦Ｉs’の範囲内で負荷電力Ｐに応じた放電電流が放電され）、その出力電流Ｉ１がＤＣＡＣコンバータ１９を経て宅内負荷３０に放電される。このように、この期間Ｑ４では、蓄電池２０の放電により供給される電力Ｐａにより、負荷電力Ｐが賄われる。
【０１７２】
このように、蓄電池２０の放電中（期間Ｑ２，Ｑ４）は、蓄電池２０の放電電流は所定値Ｉo以上となる（より詳細には所定値Ｉoと所定値Ｉs’との間で変動する）。
【０１７３】
〔実施の形態４〕
本実施の形態は、実施の形態３において、据置型の蓄電池５の代わりに、交流電力を供給するＡＣ（交流電流）系統を使用したものである。
【０１７４】
以下、図１３〜図１６に基づいて、本実施の形態に係る宅内放電制御装置１Ｄについて詳説する。なお、実施の形態３と同じ部材については同じ符号を付して説明を省略し、実施の形態３と異なる点を中心に説明する。
【０１７５】
（構成）
宅内放電制御装置１Ｄは、図１３に示すように、実施の形態３の宅内放電制御装置１Ｃ（図１参照）において、据置型の蓄電池５およびＤＣＤＣコンバータ１７Ｃが省略される点、および、ＡＣ系統４０が電力線Ｐ３に接続される点が異なる。
【０１７６】
また、本実施の形態のＤＣＡＣコンバータ１９Ｄ（第３放電制御部）は、実施の形態３のＤＣＡＣコンバータ１９（図１参照）において、更に、その出力電流Ｉ３とＡＣ系統４０の出力電流Ｉ４とを選択的に電力線Ｐ３に出力させるようにしたものである。
【０１７７】
その出力の際のＤＣＡＣコンバータ１９Ｄの出力電圧Ｖ３−出力電流Ｉ３の関係は、図１４（ａ）に示すように設定されている。即ち、出力電流Ｉ３がＩo’≦Ｉ３＜Ｉｓの場合は、出力電圧Ｖ３は電圧Ｖfとなり、出力電流Ｉ３が所定値Ｉｓに達すると、出力電圧Ｖ３は０≦Ｖ３≦Ｖｆの範囲の値（ここではＶｅ）になる。
【０１７８】
この設定により、ＤＣＡＣコンバータ１９Ｄは、上記計算値が所定値Ｉo以上で所定値Ｉs’未満の場合（即ち電路Ｐ３に流れる負荷電流（即ち出力電流Ｉ３）がＩo’以上でＩs未満の場合）は、その出力電圧Ｖ３を電圧Ｖｆに制御すると共に、ＤＣＤＣコンバータ１５Ｃの出力電流Ｉ１を入力して出力電流Ｉ３として出力する。
【０１７９】
また、ＤＣＡＣコンバータ１９Ｄは、上記計算値が所定値Ｉｓ’を超える場合（即ち上記負荷電流がＩｓを超える場合）は、その出力電圧Ｖ３を電圧Ｖｆよりも低い電圧Ｖｅに制御すると共に、ＤＣＤＣコンバータ１５Ｃの出力電流Ｉ１を入力して出力電流Ｉ３を出力する。なお、上記電圧Ｖｅは、商用電力系統４０の出力電圧Ｖ４の上限電圧に等しい。
【０１８０】
また、ＤＣＡＣコンバータ１９Ｄは、上記計算値が所定値Ｉo未満の場合（即ち上記負荷電流がＩo’未満の場合）は、制御部２１により、ＤＣＤＣコンバータ１５Ｃと共に停止され、その出力電圧Ｖ３は０（ゼロ）になる。
【０１８１】
ＡＣ系統４０は、交流電力を供給する例えば商用電力系統である。ＡＣ系統４０の出力電圧Ｖ４−出力電流Ｉ４は、図１４（ｂ）に示すように設定されている。即ち、出力電流Ｉ４が電流Ｉe未満の場合は、出力電圧Ｖ４は電圧Ｖeとなり、出力電流Ｉ４が電流Ｉeの場合は、出力電圧Ｖ４は電圧Ｖe未満の値となる。なお、電流Ｉｅは所定値Ｉｓよりも大きい値である。
【０１８２】
この設定により、ＡＣ系統４０は、後述のように、ＤＣＡＣコンバータ１９Ｄの動作と連動して、上記計算値が所定値Ｉo未満の場合（即ち上記負荷電流がＩo’未満の場合）は、その出力電流Ｉ４を電力線Ｐ３に出力し、また、上記計算値が所定値Ｉo以上で所定値Ｉs’以下の場合（即ち上記負荷電流がＩo’以上でＩs以下の場合）は、その出力電流Ｉ４を電力線Ｐ３に出力せず、また、上記計算値が所定値Ｉs’よりも大きい場合（即ち上記負荷電流がＩsよりも大きい場合）は、負荷電力のうち出力電流Ｉ３で不足する分を補うように、その出力電流Ｉ４を電力線Ｐ３に出力する。
【０１８３】
この宅内放電制御装置１Ｄでは、ＤＣＡＣコンバータ１９ＤとＡＣ系統４０とのどちらから、どれだけの電流が出力されるかは、それらの上記の出力電圧−出力電流の設定により、以下のように決まる。
【０１８４】
図１５（ａ）に示すように、上記計算値が所定値Ｉo未満の場合（即ち上記負荷電流がＩo’未満の場合）は、ＤＣＤＣコンバータ１９Ｄの出力電圧Ｖ４はゼロ（図１４（ａ）参照）になるので、電力線Ｐ３の電圧ＶP3は、ＡＣ系統４０の出力電圧Ｖ４（＝Ｖe）と同じ電圧になる。また、上記計算値が所定値Ｉo以上で所定値Ｉs’以下の場合（即ち上記負荷電流がＩo’以上でＩs以下の場合）は、Ｖｆ＞Ｖｅなので、ＤＣＤＡコンバータ１９Ｄの出力電圧Ｖ３（＝Ｖｆ）の方がＡＣ系統４０の出力電圧Ｖ４（＝Ｖｅ）よりも高くなり、電力線Ｐ３の電圧ＶP3はＶ３（＝Ｖｆ）となる。また、上記計算値が所定値Ｉs’を越える場合（即ち上記負荷電流がＩsを越える場合）は、上述の通り、ＤＣＡＣコンバータ１９Ｄの出力電圧Ｖ３がＡＣ系統４０の出力電圧Ｖ４（＝Ｖｅ）まで低下するので、電力線Ｐ３の電圧ＶP3はＶ４（＝Ｖ３＝Ｖｅ）となる。
【０１８５】
従って、図１５（ｂ）に示すように、上記計算値が所定値Ｉo未満の場合（即ち上記負荷電流がＩo’未満の場合）は、上述の通り、電力線Ｐ３の電圧ＶP3はＶ４（＝Ｖｅ）となるので、ＡＣ系統４０の出力電流Ｉ４が選択的に電力線Ｐ３に出力され、ＤＣＡＣコンバータ１９Ｄの出力電流Ｉ３（即ち蓄電池２０の放電電流）は出力されない。
【０１８６】
また、上記計算値が所定値Ｉo以上で所定値Ｉs’以下の場合（即ち上記負荷電流がＩo’以上でＩs以下の場合）は、上述の通り、電力線Ｐ３の電圧ＶP3はＶ３（＝Ｖｆ）となるので、ＤＣＡＣコンバータ１９Ｄの出力電流Ｉ３が選択的に電力線Ｐ３に出力され、ＡＣ系統４０の出力電流Ｉ４は電力線Ｐ３に出力されない。
【０１８７】
また、上記計算値が所定値Ｉs’を越える場合（即ち上記負荷電流がＩsを越える場合）は、上述の通り、電力線Ｐ３の電圧ＶP3はＶ３（＝Ｖ４＝Ｖｅ）となるので、上述のように、ＤＣＡＣコンバータ１９Ｄから所定値Ｉsの出力電流Ｉ３が電力線Ｐ３に出力されると共に、ＡＣ系統４０から、負荷電力のうち出力電流Ｉ３で不足する分を補うように、出力電流Ｉ４が電力線Ｐ３に出力される。
【０１８８】
よって、図１５（ｃ）に示すように、蓄電池２０の放電電流は、放電されるときは常に、所定値Ｉo以上となる。なお、図１５（ｃ）は、蓄電池２０の放電電流と負荷電流との関係を示した図であり、縦軸が蓄電池２０の放電電流であり、横軸が負荷電流である。
【０１８９】
（動作）
図１６は、宅内負荷３０の負荷電力Ｐの変動の一例を示した図である。縦軸が負荷電力Ｐを示し、横軸が時間ｔを示している。なお、図１６中のＰoは、上記計算値が所定値Ｉoの場合（即ち上記負荷電流がＩo’の場合）の負荷電力であり、Ｐsは、上記計算値が所定値Ｉs’の場合（即ち上記負荷電流がＩsの場合）の負荷電力である。
【０１９０】
各期間Ｑ１,Ｑ３，Ｑ５では、負荷電力ＰはＰo未満となるので、上記計算値は所定値Ｉo未満となる（即ち上記負荷電流は所定値Ｉo’未満となる）。よって、これら各期間Ｑ１,Ｑ３，Ｑ５では、図１５（ｂ）に示すように、ＤＣＡＣコンバータ１９Ｄから出力電流Ｉ３は出力されず（従って、蓄電池２０からは放電されず）、ＡＣ系統４０から、負荷電力Ｐに応じた所定値Ｉo’未満の出力電流Ｉ４が出力される。そして、その出力電流Ｉ４が電力線Ｐ３を介して宅内負荷３０に放電される。このように、各期間Ｑ１,Ｑ３，Ｑ５では、ＡＣ系統４０により供給される電力Ｐｃにより、負荷電力Ｐが賄われる。
【０１９１】
期間Ｑ２では、負荷電力ＰがＰsよりも大きくなるので、上記計算値は所定値Ｉs’よりも大きくなる（即ち上記負荷電流は所定値Ｉsよりも大きくなる）。よって。この期間Ｑ２では、図１５（ｂ）に示すように、ＤＣＡＣコンバータ１９Ｄから、所定値Ｉsの出力電流Ｉ３が出力され（従って、蓄電池２０から所定値Ｉs’の放電電流が放電され）、その出力電流Ｉ３が電力線Ｐ３を介して宅内負荷３０に放電される。
【０１９２】
これに並行して、ＡＣ系統４０から、負荷電力Ｐのうち出力電流Ｉ３で不足する分を補うように出力電流Ｉ４が出力され、その出力電流Ｉ４も電力線Ｐ３を介して宅内負荷３０に放電される。
【０１９３】
このように、この期間Ｑ２では、蓄電池２０の放電により供給される電力Ｐａ（＝Ｐs)と、ＡＣ系統４０により供給される電力Ｐｃとにより、負荷電力Ｐが賄われる。
【０１９４】
期間Ｑ４では、負荷電力ＰがＰo≦Ｐ≦Ｐsとなるので、上記計算値は所定値Ｉo以上で所定値Ｉs’以下となる（即ち上記負荷電流はＩo’以上でＩs以下となる）。よって、この期間Ｑ４では、図１５（ｂ）に示すように、ＡＣ系統４０から出力電流Ｉ４は出力されず、ＤＣＡＣコンバータ１９Ｄから、Ｉo’≦Ｉ３≦Ｉsの範囲内で負荷電力Ｐに応じた出力電流Ｉ３が出力され（従って、蓄電池２０から、所定値Ｉo以上で所定値Ｉs’以下の範囲で負荷電力Ｐに応じた放電電流が放電され）、その出力電流Ｉ３が電力線Ｐ３を介して宅内負荷３０に放電される。このように、この期間Ｑ４では、蓄電池２０の放電により供給される電力Ｐａにより、負荷電力Ｐが賄われる。
【０１９５】
このように、蓄電池２０の放電中（期間Ｑ２，Ｑ４）は、蓄電池２０の放電電流は所定値Ｉo以上の電流となる。
【０１９６】
〔実施の形態５〕
実施の形態２では、蓄電池２０の放電電流の計算値が所定値Ｉo以上の場合だけ、蓄電池２０から放電電流を所定値Ｉoに制御して放電させたが、本実施の形態では、宅内負荷３０の負荷電力に関係なく、常に、蓄電池２０の放電電流を所定値Ｉoに制御して放電させる。
【０１９７】
更に、本実施の形態では、上記負荷電力が所定値Ｐoを超える場合は、上記負荷電力のうち蓄電池２０の放電電流では不足する分を補うように、蓄電池５を放電させる。また、上記負荷電力が所定値Ｐo未満の場合は、蓄電池２０の放電電流のうち上記負荷電力で消費されない余剰分を蓄電池５に充電させる。なお、上記Ｐoは、蓄電池２０からの所定値Ｉoの放電電流により供給される電力である。
【０１９８】
以下、図１および図１７に基づいて、本実施の形態に係る宅内放電制御装置１Ｅについて詳説する。なお、実施の形態２と同じ部材については同じ符号を付して説明を省略し、実施の形態１と異なる点を中心に説明する。
【０１９９】
本実施の形態のＤＣＤＣコンバータ１５Ｅ（第１放電制御部）は、図１に示すように、実施の形態２のＤＣＤＣコンバータ１５Ｂと同様に構成される。ＤＣＤＣコンバータ１５Ｅは、制御部２１により常時作動されることで、常時、蓄電池２０の放電電流を所定値Ｉoに制御してＤＣＡＣコンバータ１９に出力する。
【０２００】
本実施の形態のＤＣＤＣコンバータ１７Ｅ（第２放電制御部）は、実施の形態２のＤＣＤＣコンバータ１５Ｂにおいて更に、ＤＣＤＣコンバータ１５Ｅの出力電流Ｉ１を蓄電池５に充電する機能を備えさせたものである。この実施の形態では、制御部２１（判定部）により、電力センサ１１により検出された負荷電力と、所定値Ｐoとの大小関係が判定される。そして、制御部２１により、その判定結果に基づき、ＤＣＤＣコンバータ１７Ｅが下記の様に制御される。
【０２０１】
即ち、ＤＣＤＣコンバータ１７Ｅは、制御部２１の制御により、上記負荷電力が所定値Ｐo未満の場合は、ＤＣＤＣコンバータ１５Ｅの出力電流Ｉ１のうち上記負荷電力で消費されない余剰分を蓄電池５に充電する。例えば、ＤＣＤＣコンバータ１７Ｅは、その出力端１７ｂからＤＣＤＣコンバータ１５Ｅの出力電流Ｉ１の余剰分を入力し、その入力端１５ａの電圧を蓄電池２０の出力電圧よりも高い電圧に制御して、その入力端１７ａから蓄電池５に当該出力電流Ｉ１の余剰分を出力する。これにより、ＤＣＤＣコンバータ１５Ｅの出力電流Ｉ１の余剰分を蓄電池５に充電させる。
【０２０２】
また、ＤＣＤＣコンバータ１７Ｅは、制御部２１の制御により、上記負荷電力が所定値Ｐoよりも大きい場合は、実施の形態２の場合と同様に、その出力端１７ｂから、上記負荷電力のうちＤＣＤＣコンバータ１５Ｅの出力電流Ｉ１では不足する分を補うように出力電流Ｉ２（即ち蓄電池５の放電電流）を出力する。
【０２０３】
また、ＤＣＤＣコンバータ１７Ｅは、制御部２１の制御により、上記負荷電力が所定値Ｐoの場合は、蓄電池５の充放電を停止する。
【０２０４】
（動作）
次に図１７に基づいて、この宅内放電制御装置１Ｅの動作を説明する。
【０２０５】
図１７は、宅内負荷３０の負荷電力Ｐの変動の一例を示した図である。縦軸が負荷電力Ｐを示し、横軸が時間ｔを示している。なお、図１７中のＰoは、ＤＣＤＣコンバータ１５Ｅの出力電流（即ち所定値Ｉo’の電流）Ｉ１により供給される電力である。なお、上記Ｉo’は、蓄電池２０の放電電流がＩoのときの出力電流Ｉ１である。
【０２０６】
各期間Ｑ１,Ｑ３，Ｑ５では、負荷電力ＰはＰo未満となるので、上述のように、ＤＣＤＣコンバータ１７Ｅは、ＤＣＤＣコンバータ１５Ｅの出力電流Ｉ１のうち、負荷電力Ｐで消費されない余剰分を蓄電池５に放電する。これにより、ＤＣＤＣコンバータ１５Ｅにより供給される電力Ｐoのうち、負荷電力Ｐを超える余剰分Ｐｄが、蓄電池５に充電される。
【０２０７】
各期間Ｑ２，Ｑ４では、負荷電力ＰはＰoよりも大きくなるので、上述のように、ＤＣＤＣコンバータ１７Ｅは、負荷電力ＰのうちＤＣＤＣコンバータ１５Ｅの出力電流Ｉ１では不足する分を補うように、出力電流Ｉ２（即ち蓄電池５の放電電流）をＤＣＡＣコンバータ１９に出力する。これにより、負荷電力Ｐのうち電力Ｐoで不足する分Ｐｅが、蓄電池５の放電により補われる。
【０２０８】
なお、図示されないが、負荷電力ＰがＰoとなる場合は、上述のように、ＤＣＤＣコンバータ１７Ｅは、蓄電池５の放電電流をＤＣＡＣコンバータ１９に出力せず、また、ＤＣＤＣコンバータ１５Ｅの出力電流Ｉ１を蓄電池５に出力もせず蓄電池５の充電もしない。このように、この場合は、ＤＣＤＣコンバータ１５Ｅの出力電流Ｉ１（＝Ｉo’）による電力Ｐoだけで負荷電力Ｐが賄われる。
【０２０９】
なお、本実施の形態において、蓄電池５を充電する際は、満充電させないように充電することが望ましい。
【０２１０】
また、本実施の形態において、蓄電池５の残容量が多い場合（即ち所定量以上の場合）は、蓄電池２０の放電を停止させ、その代わりに蓄電池５を放電させてもよい。この場合は、パワコン３は、蓄電池５の残容量を検出する検出部を更に備え、制御部２１において、当該検出部の検出結果に基づいて蓄電池５の残容量が所定量以上であるか否かを判定し、その判定の結果、蓄電池５の残容量が所定量以上である場合は、ＤＣＤＣコンバータ１５Ｅを作動させずに停止させて、蓄電池５を放電させればよい。
【０２１１】
また、本実施の形態において、負荷電力が所定時間以上小さい場合は、蓄電池２０の放電を停止させてもよい。この場合は、制御部２１において、上記負荷電力が所定電力よりも小さい時間を計時し、その計時時間が所定時間以上であるか否かを判定し、その判定の結果、上記計時時間が所定時間以上である場合は、ＤＣＤＣコンバータ１５Ｅを停止させればよい。
【０２１２】
〔実施の形態６〕
実施の形態１〜５では、宅内負荷３０がＡＣ負荷（交流電力で作動する負荷）３０ａである場合で説明したが、宅内負荷３０は、ＤＣ負荷（直流電力で作動する負荷）であってもよく、または、ＤＣ負荷およびＡＣ負荷の両方を含んでもよい。
【０２１３】
以下、宅内負荷３０が、ＤＣ負荷である場合、または、ＤＣ負荷およびＡＣ負荷の両方を含む場合の宅内放電制御装置の例を説明する。
【０２１４】
図１８は、宅内負荷３０がＤＣ負荷３０ｂである場合の宅内放電制御装置の例である。図１８の宅内放電制御装置１Ｆは、実施の形態１（図１参照）と比べて、宅内負荷３０がＤＣ負荷３０ｂに変更される点、および、ＤＣＡＣコンバータ１９が省略されて、各ＤＣＤＣコンバータ１５，１７の出力電流Ｉ１,Ｉ２が直接に電力線Ｐ３を介して宅内負荷３０に出力される点が異なる以外は、同様に構成される。
【０２１５】
この構成により、宅内負荷３０がＤＣ負荷３０ｂである場合も、宅内負荷３０がＡＣ負荷３０ａである場合と同様に、電力を供給することができる。
【０２１６】
図１９は、宅内負荷３０がＤＣ負荷３０ｂである場合の宅内放電制御装置の他の例である。図１９の宅内放電制御装置１Ｇは、図１８の宅内放電制御装置１Ｆと比べて、ＡＣ系統４０がＡＣＤＣコンバータ５０を介して電路Ｐ２に接続される点が異なる以外は、同様に構成される。
【０２１７】
ＡＣＤＣコンバータ５０は、ＡＣ系統４０からの交流電流を直流電流に変換して電路Ｐ２に出力するものである。ＡＣＤＣコンバータ５０の出力電圧−出力電流の設定は、例えば、ＤＣＤＣコンバータ１７の出力電圧−出力電流の設定と同じ設定に設定される。これにより、ＡＣＤＣコンバータ５０の出力電流の出力／停止のタイミングをＤＣＤＣコンバータ１７の出力電流の出力／停止のタイミングに同期させることができる。
【０２１８】
なお、上述のように各コンバータ５０，１７の設定を同じにすると、各コンバータ１５，１７のどちらから出力されるかで動作が不安定になることがある。そのため、各コンバータ５０，１７のうちの一方の設定を他方の設定よりも高くして優先して出力させることが望ましい（例えば、状況に応じてＡＣＤＣコンダクタ１５を優先して出力させたり、ＤＣＤＣコンダクタ１７を優先して出力させる）。これにより、動作を安定させることができる。
【０２１９】
この構成により、蓄電池５の放電電流が宅内負荷３０に放電される場合は、ＡＣ系統４０の出力電流も宅内負荷３０に放電されるので、蓄電池５の残容量が不足する場合は、その不足分をＡＣ系統４０の出力電流で補うことができる。
【０２２０】
なお、宅内放電制御装置１Ｇにおいて、蓄電池５およびＤＣＤＣコンバータ１７を省略してもよい。
【０２２１】
図２０は、宅内負荷３０がＡＣ負荷３０ａおよびＤＣ負荷３０ｂの両方を含む場合の宅内放電制御装置の例である。図２０の宅内放電制御装置１Ｈは、実施の形態１の宅内放電制御装置１（図１参照）と比べて、宅内負荷３０がＡＣ負荷３０ａおよびＤＣ負荷３０ｂの両方を含む点、ＡＣ系統４０がスイッチＳＷを介してＤＣＡＣコンバータ１９の出力端１９ｂに接続される点、ＤＣＡＣコンバータ１９の出力端１９ｂと電路Ｐ２との間にＡＣＤＣコンバータ４５が接続される点、および、電力センサ１２を更に備える点が異なる以外は、同様に構成される。
【０２２２】
ＡＣ負荷３０ａは、電路Ｐ３を介してＤＣＡＣコンバータ１９の出力端１９ｂに接続される。また、ＤＣ負荷３０ｂは、電力線Ｐ４を介して電路Ｐ２に接続されている。
【０２２３】
電力センサ１２は、例えば電力線Ｐ４に配設され、ＤＣ負荷３０ｂの負荷電力を検出するものである。なお、この宅内放電制御装置１Ｈでは、宅内負荷３０の負荷電力は、電力センサ１１により検出されたＡＣ負荷３０ａの負荷電力と、電力センサ１２により検出されたＤＣ負荷３０ｂの負荷電力との和である。
【０２２４】
ＡＣＤＣコンバータ４５は、ＡＣ系統４０の出力電流（交流電流）を直流電流に変換して、電力線Ｐ４を介してＤＣ負荷３０ｂに出力するものである。ＡＣＤＣコンバータ４５の出力電圧−出力電流の設定は、例えば、ＤＣＤＣコンバータ１７の出力電圧−出力電流の設定と同じ設定に設定される。これにより、ＡＣＤＣコンバータ４５の出力電流の出力／停止のタイミングをＤＣＤＣコンバータ１７の出力電流の出力／停止のタイミングに同期させることができる。
【０２２５】
なお、上述のように各コンバータ４５，１７の設定を同じにすると、各コンバータ４５，１７のどちらから出力されるかで動作が不安定になることがある。そのため、各コンバータ４５，１７のうちの一方の設定を他方の設定よりも高くして優先して出力させることが望ましい（例えば、状況に応じてＡＣＤＣコンダクタ４５を優先して出力させたり、ＤＣＤＣコンダクタ１７を優先して出力させる）。これにより、動作を安定させることができる。
【０２２６】
スイッチＳＷは、ＡＣ系統４０の出力電流のパワコン３への出力をオンオフ切り替えするものである。このスイッチＳＷは、制御部２１により、例えば、蓄電池２０の放電電流の計算値（実施の形態１参照）が所定値Ｉo未満の場合（即ち蓄電池２０は放電されず、蓄電池５が放電される場合）は、オンにされ、上記計算値が所定値Ｉo以上の場合（即ち蓄電池５は放電されず、蓄電池２０が放電される場合）は、オフにされる。
【０２２７】
この宅内放電制御装置１Ｈの動作は、実施の形態１の動作と比べて、蓄電池５の放電電流が、各部１７，１９，Ｐ３を介してＡＣ負荷３０ａに放電されると共に各部１７，Ｐ２，Ｐ４を介してＤＣ負荷３０ｂにも放電される点、蓄電池５の放電に同期してＡＣ系統４０の出力電流が出力される点、ＡＣ系統４０の出力電流は、各部ＳＷ，Ｐ３を介してＡＣ負荷３０ａに放電されると共に各部ＳＷ，４５，Ｐ４を介してＤＣ負荷３０ｂにも放電される点、および、蓄電池２０の放電電流が、各部Ｐ２，１９，Ｐ３を介してＡＣ負荷３０ａに出力されると共に電路Ｐ４を介してＤＣ負荷３０ｂにも出力される点が異なる以外は同様である。
【０２２８】
この構成により、宅内負荷３０がＡＣ負荷３０ａおよびＤＣ負荷３０ｂの両方を含む場合でも、蓄電池５の残容量が不足する場合は、その不足分をＡＣ系統４０の出力電流で補うことができる。
【０２２９】
なお、この宅内放電制御装置１Ｈにおいて、スイッチＳＷのオンオフ切り替えを例えば蓄電池５の残容量の状況に応じて行ってもよい。例えば、蓄電池５の残容量が少ない場合だけ、スイッチＳＷをオンにして、ＡＣ系統４０の出力電流を宅内負荷３０に出力してもよい。この場合は、パワコン３は、蓄電池５の残容量を検出する検出部を更に備え、制御部２１において、当該検出部の検出結果に基づいて蓄電池５の残容量が所定量未満であるか否かを判定し、その判定の結果、蓄電池５の残容量が所定量未満である場合だけ、蓄電池５の放電に同期させてスイッチＳＷをオンにしてもよい。これにより、蓄電池５の残容量が少ない場合だけ、ＡＣ系統４０の出力電流を利用することができる。
【０２３０】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３１】
本発明は、外部蓄電池を宅内負荷の電力消費の少なくとも一部に利用する宅内放電制御装置に利用することができる。
【符号の説明】
【０２３２】
１，１Ｂ，１Ｃ，１Ｄ，１Ｅ，１Ｆ，１Ｇ，１Ｈ  宅内放電制御装置
２０  蓄電池（外部蓄電池）
９  電圧センサ（第１検出部）
１１  電力センサ（第２検出部）
１５，１５Ｂ，１５Ｃ，１５Ｅ  ＤＣＤＣコンバータ（第１放電制御部）  
１７，１７Ｂ，１７Ｃ，１７Ｅ  ＤＣＤＣコンバータ（第２放電制御部）
１９  ＤＣＡＣコンバータ（第３放電制御部）
２０  蓄電池（据置型蓄電池）
２１  制御部（計算部）
３０  宅内負荷
４０  ＡＣ系統（商用電力系統）
Ｋ  車両
【図１】
2013046557.tif 000003
【図２】
2013046557.tif 000004
【図３】
2013046557.tif 000005
【図４】
2013046557.tif 000006
【図５】
2013046557.tif 000007
【図６】
2013046557.tif 000008
【図７】
2013046557.tif 000009
【図８】
2013046557.tif 000010
【図９】
2013046557.tif 000011
【図１０】
2013046557.tif 000012
【図１１】
2013046557.tif 000013
【図１２】
2013046557.tif 000014
【図１３】
2013046557.tif 000015
【図１４】
2013046557.tif 000016
【図１５】
2013046557.tif 000017
【図１６】
2013046557.tif 000018
【図１７】
2013046557.tif 000019
【図１８】
2013046557.tif 000020
【図１９】
2013046557.tif 000021
【図２０】
2013046557.tif 000022
【図２１】
2013046557.tif 000023